(57)【要約】【課題】移動端末の情報表示方法、ディスプレイ装置の情報提供方法、移動端末の制御信号生成方法を提供する。【解決手段】移動端末を介したユーザの第１入力に基づいて、外部のディスプレイ装置に表示されたオブジェクトを選択する第１信号を、外部のディスプレイ装置に送信する段階と、移動端末を介したユーザの第２入力に基づいて、選択されたオブジェクトに対応する付加情報を要請する第２信号を、外部のディスプレイ装置に送信する段階と、外部のディスプレイ装置から受信された付加情報を、移動端末で表示する段階と、を含むことを特徴とする移動端末の情報表示方法である。【選択図】図７
2014027659.tif 000002
【特許請求の範囲】
【請求項１】
移動端末が情報を表示する方法において、
前記移動端末を介したユーザの第１入力に基づいて、外部のディスプレイ装置に表示されたオブジェクトを選択する第１信号を、前記外部のディスプレイ装置に送信する段階と、
前記移動端末を介したユーザの第２入力に基づいて、前記選択されたオブジェクトに対応する付加情報を要請する第２信号を、前記外部のディスプレイ装置に送信する段階と、
前記外部のディスプレイ装置から受信された付加情報を、前記移動端末で表示する段階と、を含むことを特徴とする移動端末の情報表示方法。
【請求項２】
前記オブジェクトを選択する第１信号を送信する段階は、
前記オブジェクトを選択する第１信号を、前記外部のディスプレイ装置のデータフォーマットによって変換する段階をさらに含むことを特徴とする請求項１に記載の移動端末の情報表示方法。
【請求項３】
前記オブジェクトを選択する第１信号を送信する段階は、
前記外部のディスプレイ装置に表示されたオブジェクトを選択するための選択領域の移動を制御する信号を送信する段階を含むことを特徴とする請求項１に記載の移動端末の情報表示方法。
【請求項４】
前記選択領域の移動を制御する信号を送信する段階は、
前記第１入力に基づいて、前記選択領域の移動方向、前記選択領域の移動速度、及び前記外部のディスプレイ装置の画面に表示されるオブジェクトの数のうち、少なくとも一つを制御する信号を送信する段階を含むことを特徴とする請求項３に記載の移動端末の情報表示方法。
【請求項５】
前記オブジェクトを選択する信号を送信する段階は、
前記オブジェクトに対応するコンテンツのサムネイル情報を、前記移動端末の画面に表示する段階をさらに含むことを特徴とする請求項１に記載の移動端末の情報表示方法。
【請求項６】
前記サムネイル情報は、
前記オブジェクトに対応するコンテンツのイメージ、コンテンツの名称及びコンテンツの種類のうち少なくとも一つを含むことを特徴とする請求項５に記載の移動端末の情報表示方法。
【請求項７】
前記オブジェクトを選択する第１信号を送信する段階は、
前記第１入力による前記移動端末の移動方向を画面に表示する段階を含むことを特徴とする請求項１に記載の移動端末の情報表示方法。
【請求項８】
前記第１入力は、
前記移動端末を三次元方向に移動する三次元モーション入力を含み、
前記第２入力は、前記移動端末を所定角度以上回転させる回転モーション入力を含むことを特徴とする請求項１に記載の移動端末の情報表示方法。
【請求項９】
前記付加情報を要請する第２信号を送信する段階は、
前記外部のディスプレイ装置から、前記付加情報を受信する段階を含むことを特徴とする請求項１に記載の移動端末の情報表示方法。
【請求項１０】
前記付加情報を要請する第２信号を送信する段階は、
前記第２入力に基づいて、前記外部のディスプレイ装置から、前記付加情報のリンク情報を受信する段階と、
前記受信されたリンク情報を基に、前記付加情報を、サーバから受信する段階をさらに含むことを特徴とする請求項１に記載の移動端末の情報表示方法。
【請求項１１】
前記オブジェクトを選択する第１信号を、前記外部のディスプレイ装置に送信する段階は、
前記外部のディスプレイ装置に制御権限を要請する段階と、
前記外部のディスプレイ装置から制御権限受諾メッセージを受信する段階と、をさらに含むことを特徴とする請求項１に記載の移動端末の情報表示方法。
【請求項１２】
前記移動端末の情報表示方法は、
前記移動端末を介したユーザの第３入力に基づいて、前記移動端末に表示された付加情報を制御する段階をさらに含むことを特徴とする請求項１に記載の移動端末の情報表示方法。
【請求項１３】
前記付加情報を制御する段階は、
前記移動端末を介したユーザの第３入力に基づいて、前記付加情報の表示、前記付加情報の再生、及び以前付加情報または次の付加情報への転換のうち、少なくとも一つを制御する段階を含むことを特徴とする請求項１２に記載の移動端末の情報表示方法。
【請求項１４】
前記移動端末の情報表示方法は、
前記移動端末で表示される付加情報に対応するコンテンツを獲得する段階をさらに含むことを特徴とする請求項１に記載の移動端末の情報表示方法。
【請求項１５】
移動端末を介したユーザの第１入力に基づいて、外部のディスプレイ装置に表示されたオブジェクトを選択する信号を、前記外部のディスプレイ装置に送信する通信部と、
前記移動端末を介したユーザの第２入力に基づいて、前記選択されたオブジェクトに対応する付加情報を要請する信号を、前記外部のディスプレイ装置に送信する付加情報獲得部と、
前記外部のディスプレイ装置から受信された付加情報を表示するディスプレイ部と、
前記通信部、前記付加情報獲得部及び前記ディスプレイ部を制御する制御部と、を含むことを特徴とする移動端末。
【発明の詳細な説明】
【技術分野】
【０００１】
本発明は、移動端末の入力に基づいて、外部のディスプレイ装置に表示されたオブジェクトを選択し、選択されたオブジェクトに対応する付加情報を獲得して表示する移動端末の情報表示方法、及びそのための移動端末、並びに移動端末の入力に基づいて、オブジェクトを選択し、選択されたオブジェクトの付加情報を移動端末に提供するディスプレイ装置の情報提供方法、及びそのためのディスプレイ装置、並びに移動端末の動作モードに基づいて、受信されたユーザ入力を制御信号に変更する移動端末の制御信号生成方法及びそのための移動端末に係わる。
【背景技術】
【０００２】
スマートＴＶ（television）とは、ＴＶにインターネット接続機能を結合し、各種アプリケーション（application）を設置し、ウェブサーフィン及びＶＯＤ（video on demand）視聴、ソーシャルネットワーク・サービス（ＳＮＳ：social networking service）、ゲームなどの多様な機能を活用することができる多機能ＴＶを意味する。
【０００３】
スマートＴＶの最大の特徴は、ユーザ（視聴者）とＴＶとが互いに情報をやり取りすことができるという点である。これは、情報を一方的に伝達してばかりいる既存のＴＶとの最大の違いである。このために、スマートＴＶを「双方向ＴＶ（interactive ＴＶ）」と呼びもする。
【０００４】
しかし、現在のリモコン（remote controller）だけで、ユーザがスマートＴＶの多様な機能を利用するには、多くの不都合が伴う。特に、コンテンツを検索したり、あるいはコンテンツをダウンロードする場合、ユーザは、リモコンを何段階も操作しなければならない。
【０００５】
従って、簡便にユーザがスマートＴＶを制御することができる制御装置または制御システムが必要である。
【発明の概要】
【発明が解決しようとする課題】
【０００６】
本発明は、ユーザをして簡便にスマートＴＶの制御を可能にする制御装置または制御システムを提供するものである。
【課題を解決するための手段】
【０００７】
本発明の一実施形態による移動端末の情報表示方法は、移動端末を介したユーザの第１入力に基づいて、外部のディスプレイ装置に表示されたオブジェクトを選択する信号をディスプレイ装置に送信する段階と、移動端末を介したユーザの第２入力に基づいて、選択されたオブジェクトに対応する付加情報を要請する信号を、前記ディスプレイ装置に送信する段階と、ディスプレイ装置から受信された付加情報を移動端末で表示する段階と、を含んでもよい。
【０００８】
本発明の一実施形態による移動端末の情報表示方法は、オブジェクトを選択する信号を、ディスプレイ装置のデータフォーマットによって変換する段階をさらに含んでもよい。
【０００９】
本発明の一実施形態による移動端末の情報表示方法は、ディスプレイ装置に表示されたオブジェクトを選択するための選択領域の移動を制御する信号を送信する段階を含んでもよい。
【００１０】
本発明の一実施形態による移動端末の情報表示方法は、第１入力に基づいて、選択領域の移動方向、選択領域の移動速度、及びディスプレイ装置の画面に表示されるオブジェクトの数のうち、少なくとも一つを制御する信号を送信する段階を含んでもよい。
【００１１】
本発明の一実施形態による移動端末の情報表示方法は、オブジェクトに対応するコンテンツのサムネイル情報を、移動端末の画面に表示する段階をさらに含んでもよい。
【００１２】
本発明の一実施形態によるサムネイル情報は、オブジェクトに対応するコンテンツのイメージ、コンテンツの名称及びコンテンツの種類（type）のうち少なくとも一つを含んでもよい。
【００１３】
本発明の一実施形態による移動端末の情報表示方法は、移動端末の第１入力による移動端末の移動方向を画面に表示する段階を含んでもよい。本発明の一実施形態による第１入力及び前記第２入力は、モーション入力、キー入力、タッチ入力、ベンディング入力及び音声入力のうち、少なくとも一つを含んでもよい。
【００１４】
本発明の一実施形態による第１入力は、移動端末を三次元方向に移動する三次元モーション入力を含み、本発明の一実施形態による第２入力は、移動端末を所定角度以上回転させる回転モーション入力を含んでもよい。
【００１５】
本発明の一実施形態による移動端末の情報表示方法は、ディスプレイ装置から付加情報を受信する段階を含んでもよい。
【００１６】
本発明の一実施形態による移動端末の情報表示方法は、第２入力に基づいて、ディスプレイ装置から付加情報のリンク情報を受信する段階と、受信されたリンク情報を基に、付加情報をサーバから受信する段階と、をさらに含んでもよい。
【００１７】
本発明の一実施形態による移動端末の情報表示方法は、ディスプレイ装置に制御権限を要請する段階と、ディスプレイ装置から制御権限受諾メッセージを受信する段階と、をさらに含んでもよい。
【００１８】
本発明の一実施形態によるコンテンツは、静止映像、動画、アプリケーション、音楽、ウェプページ及びＥＰＧ（electronic program guide）のうち少なくとも一つを含んでもよい。
【００１９】
本発明の一実施形態による付加情報は、プレビュー情報、プレリスニング（prelistening）情報、アプリケーション情報、ユーザ評価情報、アップデート情報、新聞記事情報、商品情報、映画情報、ゲーム情報、広告映像情報及びアルバム情報のうち、少なくとも一つを含んでもよい。
【００２０】
本発明の一実施形態による移動端末の情報表示方法は、移動端末を介したユーザの第３入力に基づいて、移動端末に表示された付加情報を制御する段階をさらに含んでもよい。
【００２１】
本発明の一実施形態による移動端末の情報表示方法は、移動端末を介したユーザの第３入力に基づいて、付加情報の表示、付加情報の再生、及び以前付加情報または次の付加情報への転換のうち、少なくとも一つを制御する段階を含んでもよい。
【００２２】
本発明の一実施形態による移動端末の情報表示方法は、移動端末で表示される付加情報に対応するコンテンツを獲得する段階をさらに含んでもよい。
【００２３】
本発明の一実施形態によるディスプレイ装置の情報提供方法は、移動端末を介したユーザの第１入力を受信し、ディスプレイ装置に表示されたオブジェクトを選択する段階と、移動端末を介したユーザの第２入力を受信し、選択されたオブジェクトに対応する付加情報を移動端末に送信する段階と、を含んでもよい。
【００２４】
本発明の一実施形態によるディスプレイ装置の情報提供方法は、選択されたオブジェクトに対応するコンテンツから、付加情報を抽出する段階をさらに含んでもよい。
【００２５】
本発明の一実施形態によるディスプレイ装置の情報提供方法は、移動端末からオブジェクトを選択するための選択領域の移動を制御する制御信号を受信する段階と、制御信号によって、選択領域を移動させる段階と、を含んでもよい。
【００２６】
本発明の一実施形態によるディスプレイ装置の情報提供方法は、受信された第１入力を、ディスプレイ装置のデータフォーマットによって、選択領域の移動を制御する制御信号に変換する段階をさらに含んでもよい。
【００２７】
本発明の一実施形態によるディスプレイ装置の情報提供方法は、複数の移動端末それぞれから、選択領域の移動を制御する制御信号を受信する段階を含んでもよい。
【００２８】
本発明の一実施形態によるディスプレイ装置の情報提供方法は、移動端末を介したユーザの第１入力、及び移動端末を介したユーザの第２入力のうち、少なくとも一つを感知する段階をさらに含んでもよい。
【００２９】
本発明の一実施形態によるディスプレイ装置の情報提供方法は、移動端末を介したユーザの第１入力に基づいて、オブジェクトを選択するための選択領域の移動方向、前記選択領域の移動速度、及び画面に表示されるオブジェクトの数のうち、少なくとも一つを制御する段階を含んでもよい。
【００３０】
本発明の一実施形態によるディスプレイ装置の情報提供方法は、オブジェクトに対応するコンテンツのサムネイル情報を移動端末に送信する段階を含んでもよい。
【００３１】
本発明の一実施形態によるディスプレイ装置の情報提供方法は、付加情報のリンク情報を移動端末に送信する段階を含んでもよい。
【００３２】
本発明の一実施形態によるディスプレイ装置の情報提供方法は、選択されたオブジェクトに対応するコンテンツに係わる送信要請を移動端末から受信する段階と、選択されたオブジェクトに対応するコンテンツを移動端末に送信する段階と、をさらに含んでもよい。
【００３３】
本発明の一実施形態による移動端末は、移動端末を介したユーザの第１入力に基づいて、外部のディスプレイ装置に表示されたオブジェクトを選択する信号をディスプレイ装置に送信する通信部と、移動端末を介したユーザの第２入力に基づいて、ディスプレイ装置で選択されたオブジェクトに対応する付加情報を要請する信号をディスプレイ装置に送信する付加情報獲得部と、ディスプレイ装置から受信された付加情報を表示するディスプレイ部と、通信部、付加情報獲得部及びディスプレイ部を制御する制御部と、を含んでもよい。
【００３４】
本発明の一実施形態による移動端末の制御部は、オブジェクトを選択する信号を、ディスプレイ装置のデータフォーマットによって変換することができる。
【００３５】
本発明の一実施形態による移動端末の通信部は、ディスプレイ装置に表示されたオブジェクトを選択するための選択領域の移動を制御する信号を送信することができる。
【００３６】
本発明の一実施形態による移動端末の通信部は、第１入力に基づいて、選択領域の移動方向、選択領域の移動速度、及びディスプレイ装置の画面に表示されるオブジェクトの数のうち、少なくとも一つを制御する信号を送信することができる。
【００３７】
本発明の一実施形態による移動端末のディスプレイ部は、ディスプレイ装置のオブジェクトに対応するコンテンツのサムネイル情報を、移動端末の画面に表示することができる。
【００３８】
本発明の一実施形態による移動端末の付加情報獲得部は、ディスプレイ装置から付加情報を受信することができる。
【００３９】
本発明の一実施形態による移動端末の通信部は、第２入力に基づいて、ディスプレイ装置から付加情報のリンク情報を受信し、本発明の一実施形態による移動端末の付加情報獲得部は、受信されたリンク情報を基に、付加情報をサーバから受信することができる。
【００４０】
本発明の一実施形態による移動端末の制御部は、移動端末を介したユーザの第３入力に基づいて、移動端末に表示された付加情報を制御することができる。
【００４１】
本発明の一実施形態による移動端末は、移動端末で表示される付加情報に対応するコンテンツを獲得するコンテンツ獲得部をさらに含んでもよい。
【００４２】
本発明の一実施形態によるディスプレイ装置は、移動端末を介したユーザの第１入力に基づいて、ディスプレイ装置に表示されたオブジェクトを選択する選択部と、移動端末を介したユーザの第２入力に基づいて、選択されたオブジェクトに対応する付加情報を、前記移動端末に送信する通信部と、選択部及び通信部を制御する制御部と、を含んでもよい。
【００４３】
本発明の一実施形態によるディスプレイ装置の制御部は、選択されたオブジェクトに対応するコンテンツから、付加情報を抽出することができる。
【００４４】
本発明の一実施形態によるディスプレイ装置の選択部は、移動端末からオブジェクトを選択するための選択領域の移動を制御する制御信号を受信し、受信された制御信号によって、選択領域を移動させることができる。
【００４５】
本発明の一実施形態によるディスプレイ装置は、受信された第１入力を、ディスプレイ装置のデータフォーマットによって、選択領域の移動を制御する制御信号に変換することができる。
【００４６】
本発明の一実施形態によるディスプレイ装置は、移動端末を介したユーザの第１入力、及び移動端末を介したユーザの第２入力のうち、少なくとも一つを感知する感知部をさらに含んでもよい。
【００４７】
本発明の一実施形態によるディスプレイ装置の制御部は、移動端末を介したユーザの第１入力に基づいて、オブジェクトを選択するための選択領域の移動方向、選択領域の移動速度、及び画面に表示されるオブジェクトの数のうち、少なくとも一つを制御することができる。
【００４８】
本発明の一実施形態によるディスプレイ装置の通信部は、付加情報のリンク情報を移動端末に送信することができる。
【００４９】
本発明の一実施形態によるディスプレイ装置の通信部は、選択されたオブジェクトに対応するコンテンツに係わる送信要請を移動端末から受信し、選択されたオブジェクトに対応するコンテンツを移動端末に送信することができる。
【００５０】
本発明の一実施形態による移動端末の制御信号生成方法は、ユーザ入力を受信する段階と、移動端末の動作モードを判断する段階と、動作モードが第１モードである場合、ユーザ入力に基づいて、外部のディスプレイ装置を制御する第１制御信号を生成し、動作モードが第２モードである場合、ユーザ入力に基づいて、移動端末に表示されるコンテンツを制御する第２制御信号を生成する段階と、を含むことができる。
【００５１】
本発明の一実施形態によるコンテンツは、第１制御信号を基に、ディスプレイ装置で選択されたオブジェクトに対応するコンテンツ、またはオブジェクトに対応する付加情報でもある。
【００５２】
本発明の一実施形態によるユーザ入力は、モーション入力、キー入力、タッチ入力、ベンディング入力及び音声入力のうち、少なくとも一つを含んでもよい。
【００５３】
本発明の一実施形態による移動端末の制御信号生成方法は、移動端末が縦モードである場合、移動端末の動作モードを第１モードと判断し、移動端末が横モードである場合、移動端末の動作モードを第２モードと判断する段階を含んでもよい。
【００５４】
本発明の一実施形態による移動端末の制御信号生成方法は、移動端末の画面に表示された情報に基づいて、移動端末の動作モードを判断する段階を含んでもよい。
【００５５】
本発明の一実施形態による移動端末の制御信号生成方法は、移動端末の画面に表示された情報が、ディスプレイ装置に表示されたオブジェクトに対応するコンテンツのサムネイル情報、または移動端末の移動方向情報である場合、移動端末の動作モードを第１モードと判断し、移動端末の画面に表示された情報が、ディスプレイ装置に表示されたオブジェクトに対応するコンテンツ、またはオブジェクトに対応する付加情報である場合、移動端末の動作モードを第２モードと判断する段階を含んでもよい。
【００５６】
本発明の一実施形態による移動端末の制御信号生成方法は、第１信号を、ディスプレイ装置のデータフォーマットによって変換する段階をさらに含んでもよい。
【００５７】
本発明の一実施形態による第１モードは、ディスプレイ装置のオブジェクトを選択するモードであり、本発明の一実施形態による第２モードは、選択されたオブジェクトに対応する付加情報を移動端末で表示するモードでもある。
【００５８】
本発明の一実施形態による第１制御信号は、ディスプレイ装置のオブジェクトを選択するための選択領域の移動を制御する信号を含み、本発明の一実施形態による第２制御信号は、コンテンツの再生、コンテンツの編集及びコンテンツの伝送のうち、少なくとも一つを制御する信号を含んでもよい。
【００５９】
本発明の一実施形態による移動端末の制御信号生成方法は、移動端末を第１方向に、所定角度回転させる第１回転モーション入力を受信する段階と、第１回転モーション入力に基づいて、動作モードを第１モードから第２モードに転換する段階と、移動端末を第２方向に、所定角度回転させる第２回転モーション入力を受信する段階と、第２回転モーション入力に基づいて、動作モードを第２モードから第１モードに転換する段階と、を含んでもよい。
【００６０】
本発明の一実施形態による移動端末は、ユーザ入力を受信するユーザ入力部と、移動端末の動作モードを判断する動作モード判断部と、動作モードが第１モードである場合、ユーザ入力に基づいて、外部のディスプレイ装置を制御する第１制御信号を生成し、動作モードが第２モードである場合、ユーザ入力に基づいて、移動端末に表示されるコンテンツを制御する第２制御信号を生成する制御部と、を含んでもよい。
【００６１】
本発明の一実施形態による移動端末のユーザ入力部は、移動端末を第１方向に、所定角度回転させる第１回転モーション入力、及び移動端末を第２方向に、所定角度回転させる第２回転モーション入力を受信し、本発明の一実施形態による移動端末の制御部は、第１回転モーション入力に基づいて、動作モードを第１モードから第２モードに転換し、第２回転モーション入力に基づいて、動作モードを第２モードから第１モードに転換することができる。
【発明の効果】
【００６２】
本発明の一実施形態によれば、ユーザは、移動端末を利用して、ユーザ入力が不便なディスプレイ装置（例えば、ＴＶ）で、オブジェクトを簡便に検索及び選択することができ、移動端末を介して選択したコンテンツに係わる付加情報をあらかじめ確認することができる。
【００６３】
また、本発明の一実施形態によれば、ユーザが、移動端末の動きなどを介して、プレビューを移動端末の画面で確認した後、ダウンロードを選択すれば、移動端末をユーザが外に持ち出しても、シームレスにコンテンツのダウンロードが可能である。
【図面の簡単な説明】
【００６４】
【図１】本発明の一実施形態に係わる情報提供システムについて説明するための図面である。
【図２】本発明の他の実施形態に係わる情報提供システムについて説明するための図面である。
【図３Ａ】本発明の一実施形態に係わる移動端末が、外部のディスプレイ装置のオブジェクトを選択する画面を示す図面である。
【図３Ｂ】本発明の一実施形態に係わる移動端末が、外部のディスプレイ装置のオブジェクトを選択する画面を示す図面である。
【図３Ｃ】本発明の一実施形態に係わる移動端末が、外部のディスプレイ装置のオブジェクトを選択する画面を示す図面である。
【図４Ａ】本発明の一実施形態に係わる移動端末が、付加情報を獲得する画面を示す図面である。
【図４Ｂ】本発明の一実施形態に係わる移動端末が、付加情報を獲得する画面を示す図面である。
【図５】本発明の一実施形態に係わるオブジェクトを獲得する画面を示す図面である。
【図６】本発明の一実施形態に係わるコンテンツを表示または再生する画面を示す図面である。
【図７】本発明の一実施形態に係わる移動端末の情報表示方法について説明するためのフローチャートである。
【図８】本発明の一実施形態に係わる移動端末の情報表示方法について詳細に説明するためのフローチャートである。
【図９】本発明の一実施形態に係わる、ディスプレイ装置で移動端末の入力を感知し、付加情報を提供する方法について説明するためのフローチャートである。
【図１０】本発明の一実施形態に係わる、移動端末がサーバを介して付加情報を獲得する方法について説明するためのフローチャートである。
【図１１】本発明の一実施形態に係わる、移動端末がコンテンツを獲得する方法について説明するためのフローチャートである。
【図１２】本発明の一実施形態に係わる、移動端末がサーバを介してコンテンツを獲得する方法について説明するためのフローチャートである。
【図１３】本発明の一実施形態に係わる複数の移動端末が、それぞれディスプレイ装置のオブジェクトを選択する画面を示す図面である。
【図１４】本発明の一実施形態に係わる移動端末の構成について説明するためのブロック構成図である。
【図１５】本発明の一実施形態に係わるディスプレイ装置の構成について説明するためのブロック構成図である。
【図１６】本発明の一実施形態に係わるディスプレイ装置の情報提供方法について説明するためのフローチャートである。
【図１７】本発明の一実施形態に係わる移動端末の制御信号生成方法について説明するためのフローチャートである。
【発明を実施するための形態】
【００６５】
本明細書で使われる用語について簡略に説明し、本発明について具体的に説明する。
【００６６】
本発明で使用される用語は、本発明での機能を考慮しながら、できる限り現在汎用される一般的な用語を選択したが、それは、当分野に携わる技術者の意図、判例、または新たな技術の出現などによって異なることがある。また、特定の場合は、出願人が任意に選定した用語もあり、その場合、該当する発明の説明部分で詳細にその意味を記載する。従って、本発明で使用される用語は、単純な用語の名称ではない、その用語が有する意味と、本発明の全般にわたる内容とを基に定義されなければならない。
【００６７】
明細書全体で、ある部分がある構成要素を「含む」とするとき、それは、特別にその旨を示す記載がない限り、他の構成要素を除くものではなく、他の構成要素をさらに含んでもよいということを意味する。また、明細書に記載した「…部」、「モジュール」などの用語は、少なくとも１つの機能や動作を処理する単位を意味し、それは、ハードウェアまたはソフトウェアで具現されるか、あるいはハードウェアとソフトウェアとの結合で具現されもする。
【００６８】
明細書全体で「オブジェクト」は、ディスプレイ装置上で、ユーザが選択することができる対象を意味する。アイコン、リンク、絵、テキスト、インデックス項目などがオブジェクトの一例である。
【００６９】
本明細書で「付加情報」は、オブジェクトに対応するコンテンツに係わる情報を意味するものであり、コンテンツの種類によって、多様な形態の付加情報が存在することができる。付加情報の例として、プレビュー情報、プレリスニング（prelistening）情報、アプリケーション情報、ユーザ評価情報、広告映像情報、アップデート情報、新聞記事情報、商品情報、映画情報、ゲーム情報、アルバム情報などがある。
【００７０】
本明細書で「コンテンツ」は、移動端末に、表示、再生または保存されるものであり、例えば、静止映像コンテンツ（例えば、写真、絵など）、テキストコンテンツ（例えば、電子書籍（詩、小説）、手紙、業務ファイル、ウェプページ、ＥＰＧ（electronic program guide）など）、動画コンテンツ（例えば、個人映像、映画、ミュージックビデオ、ユーチューブ映像、ＴＶ番組映像など）、音楽コンテンツ（例えば、音楽、演奏曲、ラジオなど）、アプリケーション（ウィジェット、ゲームなど）などがある。
【００７１】
以下、添付した図面を参照して、本発明の実施形態について、本発明が属する技術分野で当業者が容易に実施することができるように詳細に説明する。しかし、本発明は、さまざまに異なった形態で具現されもし、ここで説明する実施形態に限定されるものではない。そして、図面で本発明を明確に説明するために、説明と関係のない部分は省略し、明細書全体を通じて、類似した部分については、類似した図面符号を付した。
【００７２】
図１は、本発明の一実施形態に係わる情報提供システムについて説明するための図面である。
【００７３】
図１に図示されているように、本発明の一実施形態による情報提供システムは、移動端末１００及び外部のディスプレイ装置２００を含んでもよい。
【００７４】
移動端末１００は、外部からコンテンツを獲得し、獲得されたコンテンツを、表示、再生または保存することができるデバイスを意味する。移動端末１００は、多様な形態で具現されもする。例えば、本明細書で記述される移動端末１００は、携帯電話、スマートフォン（smart phone）、ノート型パソコン（laptop computer）、タブレットＰＣ（personal computer）、電子書籍端末機、ＰＤＡ（personal digital assistant）、ＰＭＰ（portable multimedia player）、ナビゲーションなどがある。
【００７５】
ディスプレイ装置２００は、ディスプレイパネルを含む多種のデバイスを意味する。例えば、本明細書で記述されるディスプレイ装置２００には、スマートＴＶ（television）、ＩＰＴＶ（internet protocol television）、ＤＴＶ（digital television）、コンピュータ、ノート型パソコン、電子書籍端末機、タブレットＰＣ、デジタル放送用端末機、ＰＤＡ（personal digital assistant）、ＰＭＰ（portable multimedia player）、ナビゲーション、ＣＥ（consumer electronic）機器（例えば、ディスプレイパネルを有する冷蔵庫、エアコンなど）などがある。
【００７６】
本発明の一実施形態によるディスプレイ装置２００は、オブジェクト・リストを表示することができる。オブジェクト・リストには、少なくとも１つのコンテンツに係わる識別情報が含まれてもよい。識別情報の一例として、コンテンツの名称、コンテンツを示すイメージ、アイコンなどがある。
【００７７】
図２は、本発明の他の実施形態に係わる情報提供システムについて説明するための図面である。
【００７８】
図２に図示されているように、本発明の他の実施形態による情報提供システムは、移動端末１００、ディスプレイ装置２００及びサーバ３００を含んでもよい。
【００７９】
移動端末１００及びディスプレイ装置２００に係わる説明は、図１と同一であるので省略する。
【００８０】
サーバ３００は、移動端末１００またはディスプレイ装置２００と通信が可能である。本発明の一実施形態によれば、サーバ３００は、移動端末１００またはディスプレイ装置２００から、コンテンツ提供要請を受信することができる。その場合、サーバ３００は、移動端末１００またはディスプレイ装置２００にコンテンツを提供することができる。サーバ３００が提供するコンテンツは、ディスプレイ装置２００で選択されたオブジェクトに対応するコンテンツ、またはオブジェクトに対応する付加情報でもある。
【００８１】
例えば、ディスプレイ装置２００で、映画コンテンツに係わるオブジェクトが選択された場合、サーバ３００は、移動端末１００またはディスプレイ装置２００に、映画コンテンツまたは映画コンテンツのプレビュー映像などを提供することができるのである。
【００８２】
以下では、移動端末１００が、ユーザ入力に基づいて、外部のディスプレイ装置に表示されたオブジェクトを選択し、選択されたオブジェクトに対応する付加情報を獲得して表示する一例について、図３Ａ〜図６を参照して概略的に説明する。
【００８３】
図３Ａ〜図３Ｃは、本発明の一実施形態に係わる移動端末が、外部のディスプレイ装置のオブジェクトを選択する画面を示す図面である。
【００８４】
図３Ａに図示されているように、ディスプレイ装置２００は、複数のコンテンツを示す複数のオブジェクトを、画面に表示することができる。その場合、ユーザは、移動端末１００を利用して、ディスプレイ装置２００に表示された複数のオブジェクトのうち、少なくとも１つのオブジェクトを選択することができる。
【００８５】
例えば、ユーザ（視聴者）は、移動端末１００を上下左右に移動（第１入力）し、ディスプレイ装置２００上のオブジェクトを選択する。このとき、ディスプレイ装置２００は、移動端末１００の動きに対応する選択領域（例えば、カーサ、ポインタ）の位置を画面上に表示することができる。
【００８６】
図３Ａ〜図３Ｃでは、オブジェクトを選択するための第１入力として、モーション入力を例として挙げて説明したが、第１入力が、モーション入力に限定されるものではない。第１入力は、モーション入力以外に、ベンディング入力、キー入力、音声入力、タッチ入力も可能である。
【００８７】
本発明の一実施形態によれば、ユーザが、ディスプレイ装置２００画面上のオブジェクトを選択している最中に、ユーザの目が分散しないように、移動端末１００は、移動端末１００の画面を消したり、あるいはブラックで表示することができる。
【００８８】
また、本発明の他の実施形態によれば、移動端末１００は、ディスプレイ装置２００で、選択領域が位置したオブジェクトに係わるコンテンツのアイコン、イメージ、タイトルなどのサムネイル情報や、矢印などによる、移動端末１００の移動方向を表示することもできる。
【００８９】
一方、図３Ｂに図示されているように、移動端末１００は、コンテンツのカテゴリー（例えば、ドラマ、映画、スポーツなど）を選択することができる選択ウィンドウ（または、ＧＵＩ（graphical user interface））を表示することができる。このとき、移動端末１００は、ユーザから少なくとも１つのカテゴリーに係わる選択を受信することができる。移動端末１００は、選択されたカテゴリーに係わる情報を、ディスプレイ装置２００に伝送することができる。その場合、ディスプレイ装置２００は、ユーザによって選択されたカテゴリーに対応するコンテンツに係わるオブジェクトを、フィルタリングして表示することができる。
【００９０】
また、図３Ｃに図示されているように、移動端末１００は、全体オブジェクトのうち、どの部分のオブジェクトがディスプレイ装置２００で表示されているかを示すマップ（map）またはＧＵＩを出力することもできる。図４Ａ及び図４Ｂは、本発明の一実施形態に係わる移動端末が、付加情報を獲得する画面を示す図面である。
【００９１】
図４Ａに図示されているように、ユーザは、移動端末１００を移動させ、ディスプレイ装置２００のオブジェクトを選択した後、移動端末１００を回転させ、選択されたオブジェクトに対応する付加情報をディスプレイ装置２００に要請することができる。
【００９２】
その場合、ディスプレイ装置２００は、選択されたオブジェクトに対応する付加情報または付加情報のリンク情報（例えば、ＵＲＩ（uniform resource identifier））を移動端末１００に伝送する。このとき、移動端末１００は、獲得された付加情報を画面に表示することができる。
【００９３】
例えば、図４Ａに図示されているように、ユーザが移動端末１００を動かし、シュレックが描かれたオブジェクトを選択した後、縦モードの移動端末１００を横モードに転換する場合、移動端末１００は、シュレックに係わる付加情報（例えば、映画名：シュレック、評価：★★★★☆、代表イメージ、広告映像）を獲得して表示することができる。
【００９４】
本発明の一実施形態によれば、図４Ｂに図示されているように、もしユーザが新たなオブジェクトを選択しようとする場合、ユーザは、横モードの移動端末１００を縦モードに転換することにより、さらにディスプレイ装置２００のオブジェクトを選択することができる。
【００９５】
一方、図３Ａ〜図３Ｃ、並びに図４Ａ及び図４Ｂでは、モーション入力でオブジェクトを選択した後、回転入力で、オブジェクトに対応する付加情報を、移動端末２００が受信して表示する実施形態を図示したが、それに限定されるものではない。すなわち、本発明の一実施形態によれば、移動端末１００は、モーション入力で、ディスプレイ装置１００のオブジェクトを選択している最中に、選択領域が位置したオブジェクトに係わるコンテンツの付加情報を、ディスプレイ装置１００から受信して表示することもできるのである。また、本発明の一実施形態によれば、移動端末１００がオブジェクトを選択する信号を、ディスプレイ装置２００に送信する通信網と、移動端末１００がディスプレイ装置２００から付加情報を受信する通信網とは異なっていることがある。例えば、移動端末１００がブルートゥース通信を介して、オブジェクトを選択する信号をディスプレイ装置２００に送信した後、無線ＬＡＮ（local area network）（Ｗｉ−Ｆｉ）を介して、選択されたオブジェクトに対応する付加情報を、ディスプレイ装置２００から受信することができるのである。
【００９６】
図５は、本発明の一実施形態に係わるコンテンツを獲得する画面を示す図面である。
【００９７】
ユーザは、ディスプレイ装置２００から獲得されたオブジェクトに対応するコンテンツの付加情報を確認した後、当該コンテンツを、ディスプレイ装置２００またはサーバ３００に要請することができる。例えば、ユーザは、シュレック映画に係わる付加情報（ユーザ評価など）を、移動端末１００を介して確認した後、シュレック映画コンテンツを、ディスプレイ装置２００またはサーバ３００に要請し、ダウンロードすることができるのである。
【００９８】
図６は、本発明の一実施形態に係わる、オブジェクトを表示または再生する画面を示す図面である。
【００９９】
図６に図示されているように、本発明の一実施形態によれば、移動端末１００は、ディスプレイ装置２００またはサーバ３００からダウンロードしたコンテンツを表示または再生することができる。
【０１００】
本発明の他の実施形態によれば、移動端末１００は、ストリーミング方式でコンテンツを受信しながら、再生することもできる。
【０１０１】
以下では、移動端末１００がユーザ入力に基づいて、情報を検索及び／または表示する方法について詳細に説明する。
【０１０２】
本発明の一実施形態による情報表示方法は、所定アプリケーションを介して具現されもする。すなわち、移動端末１００は、本発明の一実施形態による情報表示方法を提供するためのアプリケーションを駆動することができる。移動端末１００は、ユーザ入力に基づいて、アプリケーションを駆動することもでき、自動的にアプリケーションを駆動することもできる。
【０１０３】
移動端末１００で駆動されるアプリケーションは、ディスプレイ装置２００を制御する過程を遂行するための専用アプリケーションでもあり、それ以外に、多様なサービスを提供するアプリケーションでもある。例えば、アプリケーションは、遠隔制御サービス、メッセンジャサービス、ＳＮＳ（social networking service）、マルチメディア・コンテンツ再生サービスなどを提供するアプリケーションでもある。
【０１０４】
すなわち、図７ないし図１２で説明する移動端末１００の情報表示方法は、所定アプリケーションを介して遂行されるものであるということを前提とする。
【０１０５】
図７は、本発明の一実施形態に係わる移動端末の情報表示方法について説明するためのフローチャートである。図７を参照すれば、本発明の一実施形態による移動端末１００の情報表示方法は、後述する図１４に図示された移動端末１００で、時系列的に処理される段階によって構成される。従って、以下で省略された内容であるとしても、図１４に図示された移動端末１００について以上で記述された内容は、図７の情報表示方法にも適用されるということが分かる。
【０１０６】
段階７１０で、移動端末１００は、第１入力に基づいて、外部のディスプレイ装置２００のオブジェクトを選択する信号を、ディスプレイ装置２００に送信することができる。移動端末１００は、第１入力が受信される場合、第１入力を基に、外部ディスプレイ装置２００のオブジェクトを選択するための信号を生成することができる。
【０１０７】
本発明の一実施形態によれば、移動端末１００は、前記オブジェクトを選択する信号を、ディスプレイ装置２００のデータフォーマットによって変換することができる。すなわち、移動端末１００は、ディスプレイ装置２００の識別情報（例えば、機器種類、デバイスＩＤ（identification）、デバイス一連番号など）を獲得し、ディスプレイ装置２００の識別情報に基づいて、ユーザから受信された第１入力を、ディスプレイ装置２００が認識することができる制御命令に変換することができる。
【０１０８】
本発明の一実施形態によるオブジェクトを選択するための信号は、オブジェクトを選択する選択領域の移動を制御する信号を含んでもよい。すなわち、移動端末１００は、臨界値以上の動きが感知される場合、感知された動き情報に基づいて、ディスプレイ装置２００の選択領域の移動を制御する信号を生成することができる。
【０１０９】
例えば、移動端末１００は、ジャイロセンサ値が臨界値未満である場合には、移動端末１００の動きがないと判断し、選択領域の移動を制御する信号を生成せずに、ジャイロセンサ値が臨界値以上の所定値（例えば、１０ｄｅｇ／ｓｅｃ）ほど変わるたびに、選択領域が１スペース移動する制御信号を生成することができる。
【０１１０】
本発明の他の実施形態によるオブジェクトを選択するための信号は、第１入力に係わる情報（例えば、移動端末１００の移動位置情報）を含んでもよい。すなわち、移動端末１００は、選択領域の移動を制御する制御信号を直接生成し、ディスプレイ装置２００に送信することもでき、第１入力に係わる情報（例えば、移動端末１００の移動位置情報）をディスプレイ装置２００に送信することもできる。
【０１１１】
第１入力に係わる情報（例えば、移動端末１００の移動位置情報）がディスプレイ装置２００に送信された場合、ディスプレイ装置２００は、第１入力を、ディスプレイ装置２００のデータフォーマットによって、選択領域の移動を制御する制御信号に変換することができる。
【０１１２】
例えば、臨界値未満のジャイロセンサ値が受信される場合、ディスプレイ装置１００は、移動端末１００の動きがないと判断し、選択領域の移動を制御する信号を生成しないこともある。また。臨界値以上の所定ジャイロセンサ値（例えば、１０ｄｅｇ／ｓｅｃ）が受信されるたびに、ディスプレイ装置２００は、選択領域が１スペース移動する制御信号を生成することができる。
【０１１３】
一方、移動端末１００は、制御信号を生成する前に、ディスプレイ装置２００を制御することができる権限を、ディスプレイ装置２００から認証されもする。例えば、移動端末１００は、ディスプレイ装置２００に制御権限を要請することができる。このとき、移動端末１００は、移動端末１００の識別情報を、ディスプレイ装置２００に伝送しながら、制御権限を要請する。移動端末１００の識別情報とは、移動端末１００を識別するための固有の情報であり、例えば、デバイスＩＤ、固有一連番号、ＭＡＣ（medium access control）アドレス、国際モバイル機器識別コード（ＩＭＥＩ：international mobile equipment identity）などがある。
【０１１４】
ディスプレイ装置２００は、移動端末１００の識別情報を基に、移動端末１００の制御権限いかんを認証する。認証に成功した場合、ディスプレイ装置２００は、制御権限受諾メッセージを、移動端末１００に伝送することができる。その場合、移動端末１００は、ディスプレイ装置２００を制御することができる。
【０１１５】
一方、ディスプレイ装置２００は、制御権限受諾メッセージの伝送時、移動端末１００の識別情報を保存部に登録しておくことができる。従って、その後には、移動端末１００が、ディスプレイ装置２００から別途の認証を受けないとしても、ディスプレイ装置２００を制御することができる。
【０１１６】
段階７２０で、移動端末１００は、第２入力に基づいて、ディスプレイ装置２００で選択されたオブジェクトに対応する付加情報を獲得することができる。すなわち、移動端末１００は、第２入力が受信される場合、第１入力によって選択されたオブジェクトに対応する付加情報を、ディスプレイ装置２００に要請することができる。その場合、移動端末１００は、ディスプレイ装置２００から付加情報を獲得することもでき、サーバ３００を介して、付加情報を獲得することもできる。これについては、図８を参照して追って詳細に説明する。
【０１１７】
段階７３０で、移動端末１００は、前記獲得された付加情報を画面に表示することができる。移動端末１００は、ダウンロード方式で、付加情報を保存部に保存した後で表示することもでき、ストリーミング方式で、付加情報を表示することもできる。
【０１１８】
本発明の一実施形態による付加情報には、プレビュー情報、プレリスニング情報、アプリケーション情報、ユーザ評価情報、アップデート情報、新聞記事情報、商品情報、映画情報、ゲーム情報、広告映像情報、アルバム情報などがある。
【０１１９】
図８を参照して、さらに詳細に説明する。図８は、本発明の一実施形態に係わる移動端末の情報表示方法について詳細に説明するためのフローチャートである。
【０１２０】
段階８１０で、移動端末１００は、第１入力を受信することができる。移動端末１００の第１入力は、モーション入力（例えば、三次元モーション入力、回転モーション入力など）、キー入力、タッチ入力、ベンディング入力、音声入力、多重（multimodal）入力などでもある。すなわち、ユーザは、移動端末１００を、上（＋Ｙ軸方向）、下（−Ｙ軸方向）、左（−Ｘ軸方向）、右（＋Ｘ軸方向）に移動させるか、あるいは移動端末１００の画面（または、画面に表示されたＧＵＩ）を、上下左右にタッチ（フリック、ドラッグ、タップ、パニングなど）したり、あるいは移動（方向）キーを操作したり、あるいは移動端末１００の所定領域（左側上端、右側上端、左側下端、右側下端）をベンディングしたり、あるいは移動命令が含まれた音声を入力することができる。段階８２０で、移動端末１００は、第１入力に基づいて、オブジェクトを選択する信号を生成することができる。例えば、第１入力が、移動端末１００を上下左右に移動するモーション入力である場合、移動端末１００は、移動端末１００の動きによって、選択領域の移動を制御する信号を生成することができる。すなわち、ユーザが、移動端末１００を、左（−Ｘ軸方向）に所定値以上移動する場合、移動端末１００は、選択領域を、左に１スペース移動させる制御信号を生成することができる。
【０１２１】
また、第１入力が、タッチスクリーンを上下左右にタッチするタッチ入力である場合、移動端末１００は、ユーザのタッチ・ジェスチャによって、選択領域の移動を制御する信号を生成することができる。例えば、ユーザが、指やライトペンを利用して、タッチスクリーンを左から右に、所定距離以上フリックする場合、移動端末１００は、選択領域を、右に１スペース移動させる制御信号を生成することができる。
【０１２２】
一方、第１入力が、移動（方向）キーを操作するキー入力である場合、移動端末１００は、方向キーに対応する位置に、選択領域を移動させる制御信号を生成することができる。
【０１２３】
また、第１入力が、移動端末１００の所定領域をベンディングするベンディング入力である場合、移動端末１００は、ベンディング動作に対応する方向に、選択領域を移動させる制御信号を生成することができる。例えば、ユーザが、移動端末１００の上端をベンディングする場合、移動端末１００は、選択領域を上に１スペース移動させる制御信号を生成し、ユーザが、移動端末１００の左側領域をベンディングする場合、移動端末１００は、選択領域を左に１スペース移動させる制御信号を生成し、ユーザが、移動端末１００の全体をベンディングする場合、現在選択領域が存在するオブジェクトを選択する制御信号を生成することができる。
【０１２４】
一方、第１入力が音声入力である場合、移動端末１００は、音声入力に対応する位置に、選択領域を移動させる制御信号を生成することができる。例えば、ユーザが「左に３スペース移動」と言う場合、移動端末１００は、選択領域を、左に３スペース移動させる制御信号を生成することができる。
【０１２５】
段階８３０で、移動端末１００は、第１入力信号に基づいて、生成されたオブジェクトを選択する信号を、ディスプレイ装置２００に伝送することができる。本発明の一実施形態による移動端末１００は、オブジェクトを選択する信号を、ディスプレイ装置２００に直接送信することもでき、サーバ３００を介して送信することもできる。また、本発明の一実施形態による移動端末１００は、多様な通信方法を介して、オブジェクトを選択する信号を送信することができる。
【０１２６】
例えば、移動端末１００とディスプレイ装置２００とが、所定範囲以内（近距離）に存在する場合、移動端末１００は、近距離通信（ブルートゥース、ジグビー、ＮＦＣ（near field communication）、ＷＦＤ（Ｗｉ−Ｆｉ direct）、ＵＷＢ（ultra-wideband）、ＩｒＤＡ（infrared data association）など）を利用して、オブジェクトを選択する信号を、直接ディスプレイ装置２００に送信することができる。また、移動端末１００は、移動通信網（例えば、２Ｇ／３Ｇ／４Ｇ、ワイブロ（Ｗｉｂｒｏ）など）を介して、オブジェクトを選択する信号を送信することもでき、無線ＬＡＮ（Ｗｉ−Ｆｉ：アドホック・モード、インフラストラクチャ・モード）を介して、オブジェクトを選択する信号を送信することもできる。
【０１２７】
段階８４０で、ディスプレイ装置２００は、移動端末１００の第１入力に基づいて、選択領域を移動させることができる。例えば、第１入力が、移動端末１００を左（−Ｘ軸方向）に移動するモーション入力である場合、ディスプレイ装置２００は、選択領域を左に移動する。
【０１２８】
一方、本発明の一実施形態によれば、ディスプレイ装置２００は、第１入力に基づいて、選択領域の移動速度を制御することもできる。例えば、第１入力が、モーション入力である場合、ユーザが、移動端末１００を臨界速度以上に速く右側に移動させれば、ディスプレイ装置２００は、選択領域を何スペースも（例えば、３間ずつ）右側に移動させ、ユーザが、移動端末１００を臨界速度未満に左に移動させる場合、ディスプレイ装置２００は、選択領域を左に１スペース移動させることができる。
【０１２９】
また、本発明の一実施形態によれば、第１入力がタッチ入力である場合、ユーザが、臨界速度以上に早く移動端末１００のタッチスクリーンをドラッグする場合、ディスプレイ装置２００は、選択領域を何スペースも移動させ、ユーザが臨界速度未満に、移動端末１００のタッチスクリーンをドラッグする場合、ディスプレイ装置２００は、選択領域を１スペースずつ移動させることができる。
【０１３０】
一方、本発明の一実施形態によれば、第１入力がベンディング入力である場合、ユーザが、移動端末１００の所定領域をベンディングする回数に基づいて、ディスプレイ装置２００は、選択領域の移動速度を制御することもできる。例えば、ユーザが、移動端末１００の上端を３回ベンディングする場合、ディスプレイ装置２００は、選択領域を上に３スペース移動させ、ユーザが、移動端末１００の右側領域を２回ベンディングする場合、ディスプレイ装置２００は、選択領域を右側に２スペース移動させることができる。それ以外にも、ディスプレイ装置２００が第１入力に基づいて、選択領域を移動させる例は多様である。
【０１３１】
一方、本発明の一実施形態によれば、ディスプレイ装置２００は、第１入力に基づいて、画面にディスプレイされるオブジェクトの数を調節することもできる。例えば、第１入力がモーション入力である場合、ユーザが移動端末１００を、前方方向（＋Ｚ軸方向）に移動させる場合、ディスプレイ装置２００は、画面に表示されるオブジェクトの数を減少させることができ、ユーザが、移動端末１００を後方方向（−Ｚ）に移動させる場合、ディスプレイ装置２００は、画面に表示されるオブジェクトの数を増加させることができる。
【０１３２】
また、本発明の一実施形態によれば、第１入力がタッチ入力である場合、ユーザが、移動端末１００のタッチスクリーン上の少なくとも２つの地点をマルチタッチした後、２つの地点が遠くなるようにドラッグする場合、ディスプレイ装置２００は、画面に表示されるオブジェクトの数を減少させることができ、ユーザが、２つの地点を近くなるようにドラッグする場合、ディスプレイ装置２００は、画面に表示されるオブジェクトの数を増加させることができる。
【０１３３】
本発明の一実施形態によれば、第１入力がベンディング入力である場合、ユーザが、移動端末１００の中央部分を凸型にベンディングする場合、ディスプレイ装置２００は、画面に表示されるオブジェクトの数を減少させ、ユーザが、移動端末１００の中央部分を凹型にベンディングする場合、ディスプレイ装置２００は、画面に表示されるオブジェクトの数を増加させることができる。
【０１３４】
それ以外にも、ディスプレイ装置２００が第１入力に基づいて、画面にディスプレイされるオブジェクトの数を調節する例は多様である。
【０１３５】
本発明の一実施形態によれば、移動端末１００の第１入力に基づいて、ディスプレイ装置２００がオブジェクトを選択する間、移動端末１００は、選択領域が位置したオブジェクトに対応するコンテンツのサムネイル情報を、ディスプレイ装置２００から受信して表示することができる。例えば、移動端末１００は、選択領域が位置したオブジェクトに対応するコンテンツのイメージ、アイコン、タイトル、コンテンツの種類などを表示することができる。また、移動端末１００は、選択領域の移動方向、ディスプレイ装置２００の全体画面における移動端末１００の現在位置に対応する選択領域の位置を表示することもできる。
【０１３６】
一方、本発明の他の実施形態によれば、オブジェクトが選択されているディスプレイ装置２００の画面で、ユーザの視線が分散させないために、移動端末１００は、画面を消したり（off）、黒く表示することもできる。
【０１３７】
段階８５０で、ディスプレイ装置２００は、オブジェクトを選択する。本発明の一実施形態によれば、ディスプレイ装置２００は、第１入力に基づいて、移動された選択領域が位置したオブジェクトを選択することができる。
【０１３８】
本発明の一実施形態によれば、ディスプレイ装置２００は、選択領域が位置したオブジェクトに、識別（強調）表示を行うことができる。例えば、ディスプレイ装置２００は、選択領域が位置したオブジェクトの枠にボックス表示をしたり、あるいは選択領域が位置したオブジェクトのサイズを、他のオブジェクトに比べて大きくしたり、あるいは明滅などのアニメーション効果を示すことができる。
【０１３９】
段階８６０で、移動端末１００は、第２入力を受信することができる。本発明の一実施形態による第２入力は、付加情報を獲得するためのユーザ入力でもある。本発明の一実施形態による移動端末１００の第２入力は、モーション入力、キー入力、ベンディング入力及び音声入力のうち、少なくとも一つを含んでもよい。例えば、ユーザは、移動端末１００を所定角度回転させたり、移動端末１００の中央部分をベンディングしたり、移動端末１００のキーを押したり、付加情報を要請する画面上のＧＵＩをタッチしたり、あるいは付加情報を要請する音声を入力することができる。第２入力の例は多様であり、それらに限定されるものではない。
【０１４０】
段階８７０で、移動端末１００は、選択されたオブジェクトに対応する付加情報を、ディスプレイ装置２００に要請することができる。本発明の一実施形態によれば、移動端末１００は、ディスプレイ装置２００に直接付加情報を要請することもでき、サーバ３００を介して、付加情報を要請することもできる。
【０１４１】
本発明の一実施形態によれば、移動端末１００は、近距離通信（ブルートゥース、ジグビー、ＮＦＣ、ＷＦＤ、ＵＷＢ、ＩｒＤＡなど）、移動通信（例えば、２Ｇ／３Ｇ／４Ｇ、ワイブロなど）、無線ＬＡＮ（Ｗｉ−Ｆｉ：アドホック・モード、インフラストラクチャ・モード）など多様な通信方法を利用して、付加情報をディスプレイ装置２００に要請することができる。
【０１４２】
段階８８０で、ディスプレイ装置２００は、選択されたオブジェクトに対応する付加情報を、移動端末１００に伝送することができる。例えば、映画コンテンツに係わるオブジェクトが選択された場合、ディスプレイ装置２００は、映画コンテンツに係わる付加情報（代表場面、プレビュー映像、製作情報、筋書情報、俳優、監督情報、ユーザの評価情報など）を移動端末１００に伝送することができる。
【０１４３】
また、アプリケーションに係わるオブジェクトが選択された場合、ディスプレイ装置２００は、アプリケーションに係わる付加情報（例えば、アプリケーションの説明、アプリケーション・レビュー情報、アプリケーション・アップデート情報など）を移動端末１００に伝送することができる。
【０１４４】
本発明の一実施形態によれば、写真に係わるオブジェクトが選択される場合、ディスプレイ装置２００は、写真のメタデータ（例えば、撮影場所、撮影時間など）、写真中の人物に係わる情報（例えば、新聞記事、出演映画、代表曲など）を、付加情報として移動端末１００に伝送することができる。
【０１４５】
本発明の一実施形態によれば、音楽に係わるオブジェクトが選択される場合、ディスプレイ装置２００は、アルバム情報、ミュージックビデオ、ティーザ（teaser）映像、プレリスニング情報、新聞記事、歌手情報などを付加情報として移動端末１００に伝送することができる。
【０１４６】
本発明の一実施形態によれば、ウェブサイトに係わるオブジェクトが選択される場合、ディスプレイ装置２００は、当該ウェブサイトのプレビュー情報などを付加情報として移動端末１００に伝送することができる。
【０１４７】
本発明の一実施形態によれば、ＥＰＧ（electronic program guide）に係わるオブジェクトが選択される場合、ディスプレイ装置２００は、放送プログラム筋書、当該回送プレビュー情報などを付加情報として移動端末１００に伝送することができる。また、ショッピング・アイテムに係わるオブジェクトが選択された場合、ディスプレイ装置２００は、商品情報、注文情報、推薦情報などを付加情報として移動端末１００に提供することもできる。
【０１４８】
本発明の一実施形態によれば、ディスプレイ装置２００は、保存部に既保存の付加情報を移動端末１００に伝送することができる。もし保存部に付加情報のリンク情報だけ保存されている場合、ディスプレイ装置２００は、サーバ３００から付加情報を受信し、移動端末１００に伝送することもできる。一方、ディスプレイ装置２００は、オブジェクトに係わる付加情報を、検索エンジンまたはウェブサイトで検索し、移動端末１００に提供することもできる。
【０１４９】
段階８９０で、移動端末１００は、獲得された付加情報を表示することができる。移動端末１００は、表示された付加情報をユーザ入力に基づいて、制御することができる。これについては、図９を参照して、追って詳細に説明する。
【０１５０】
前述のように、本発明の一実施形態によれば、ユーザは、簡単な移動端末１００の入力を介して、外部のディスプレイ装置２００に表示されたコンテンツに係わるオブジェクトを、検索及び／または選択することができ、自分が選択したオブジェクトに係わる付加情報を確認することにより、当該コンテンツの受信いかんを決定することができる。
【０１５１】
図９は、本発明の一実施形態に係わる、ディスプレイ装置で、移動端末の入力を感知し、付加情報を提供する方法について説明するためのフローチャートである。図８と重複する部分に係わる説明は省略する。
【０１５２】
図９に図示されているように、本発明の一実施形態によれば、ディスプレイ装置２００は、移動端末１００の入力を感知することができる。
【０１５３】
例えば、段階９２０で、ディスプレイ装置２００は、オブジェクトを選択するための移動端末１００の第１入力を感知することができる。また、段階９７０で、ディスプレイ装置２００は、選択されたオブジェクトに対応する付加情報を獲得するための移動端末１００の第２入力を感知することができる。
【０１５４】
移動端末１００の第１入力及び第２入力は、モーション入力（例えば、三次元モーション入力、回転モーション入力など）、キー入力、タッチ入力、ベンディング入力及び音声入力のうち、少なくとも一つを含んでもよい。
【０１５５】
本発明の一実施形態によれば、第１入力及び第２入力がモーション入力である場合、ディスプレイ装置２００は、カメラを介して、移動端末１００の動きを感知することができる。例えば、ユーザが、移動端末１００を上下左右に動かしたり、あるいは移動端末を回転させる場合、ディスプレイ装置２００は、カメラを介して、移動端末１００の上下左右の動き、または移動端末１００の回動を感知することができる。
【０１５６】
また、本発明の一実施形態によれば、第１入力及び第２入力がベンディング入力である場合、ディスプレイ装置２００は、カメラを介して、移動端末１００のベンディング動作を感知することができる。例えば、ディスプレイ装置２００は、移動端末１００のベンディング位置（座標値）、ベンディング方向、ベンディング角度、ベンディング速度、ベンディング回数、ベンディング動作発生時点、ベンディング動作維持時間などを感知することができる。
【０１５７】
本発明の一実施形態によれば、第１入力及び第２入力がタッチ入力である場合、ディスプレイ装置２００は、カメラを介して、ユーザのタッチ・ジェスチャを感知することもできる。
【０１５８】
一方、本発明の一実施形態によれば、第１入力及び第２入力が音声入力である場合、ディスプレイ装置２００は、マイクを介して、ユーザの音声入力を感知することができる。
【０１５９】
すなわち、本発明の一実施形態によれば、ディスプレイ装置２００は、移動端末１００の第１入力または第２入力を感知することにより、移動端末１００から受信されたオブジェクトを選択する信号、またはオブジェクトに対応する付加情報を要請する信号に係わる検証を行うことができる。例えば、ディスプレイ装置２００が、移動端末１００が、右側（＋ｘ軸方向）に移動するモーション入力を感知したが、移動端末１００から、左側に１スペース選択領域を移動せよという制御信号が受信される場合、ディスプレイ装置２００は、制御信号を移動端末１００にさらに要請したり、あるいは選択領域を左側に１スペース移動せよという制御信号に従わないこともある
【０１６０】
一方、本発明の他の実施形態によれば、ディスプレイ装置２００は、移動端末１００の第１入力または第２入力を感知することにより、オブジェクトを選択するための選択領域を移動させる制御命令、オブジェクトを選択する制御命令、及び付加情報を、移動端末１００に伝送する制御命令を直接生成することもできる。
【０１６１】
図１０は、本発明の一実施形態に係わる、移動端末がサーバを介して、付加情報を獲得する方法について説明するためのフローチャートである。図１０の段階１００５ないし段階１０３５は、図８の段階８１０ないし段階８７０に対応するので、それらに係わる重複説明は省略する。
【０１６２】
段階１０３５で、ディスプレイ装置２００が、移動端末１００の第２入力に基づいて、移動端末１００から付加情報要請を受信する場合、段階１０４０で、ディスプレイ装置２００は、付加情報のリンク情報（例えば、ＵＲＩ（uniform resource identifier）を移動端末１００に伝送することができる。
【０１６３】
その場合、段階１０４５で、移動端末１００は、付加情報のリンク情報を基に、サーバ３００に、付加情報を要請することができる。本発明の一実施形態によれば、移動端末１００は、移動通信網（例えば、２Ｇ／３Ｇ／４Ｇ、ワイブロなど）を介して、サーバ３００に付加情報を要請することもでき、無線ＬＡＮ（Ｗｉ−Ｆｉ：アドホック・モード、インフラストラクチャ・モード）を介して、サーバ３００に付加情報を要請することもできる。
【０１６４】
段階１０５０で、移動端末１００は、サーバ３００から付加情報を受信することができる。移動端末１００は、ダウンロード方式で、付加情報を受信することもでき、ストリーミング方式で、付加情報を受信することもできる。
【０１６５】
段階１０５５で、移動端末１００は、サーバ３００から受信された付加情報を表示することができる。付加情報が動画である場合、付加情報の表示は、付加情報の再生を含んでもよい。
【０１６６】
図１１は、本発明の一実施形態に係わる移動端末がコンテンツを獲得する方法について説明するためのフローチャートである。
【０１６７】
段階１１１０で、移動端末１００は、ディスプレイ装置２００またはサーバ３００から獲得された付加情報を表示することができる。そして、段階１１２０で、移動端末１００は、画面に表示された付加情報を制御するための第３入力を受信することができる。
【０１６８】
移動端末１００の第３入力は、モーション入力（例えば、三次元モーション入力、回転モーション入力など）、キー入力、タッチ入力、ベンディング入力及び音声入力のうち、少なくとも一つを含んでもよい。
【０１６９】
段階１１３０で、移動端末１００は、第３入力に基づいて、表示された付加情報を制御することができる。本発明の一実施形態によれば、移動端末１００は、第３入力に基づいて、付加情報の表示、付加情報の再生（または一時停止映像）、以前の（previous）付加情報、または次の（next）付加情報への転換のうち、少なくとも一つを制御することができる。例えば、移動端末１００は、ユーザのスワイプ（swipe）・ジェスチャ、シャッフル・ジェスチャ、フリック・ジェスチャなどによって、next／previous付加情報に移動することができる。
【０１７０】
段階１１４０で、移動端末１００は、第４入力を受信することができる。本発明の一実施形態による第４入力は、移動端末１００で表示されている付加情報に対応するコンテンツを獲得するための入力を意味する。
【０１７１】
本発明の一実施形態による移動端末１００の第４入力は、モーション入力（例えば、三次元モーション入力、回転モーション入力など）、キー入力、タッチ入力、ベンディング入力及び音声入力のうち、少なくとも一つを含んでもよい。
【０１７２】
段階１１５０で、移動端末１００は、第４入力に基づいて、ディスプレイ装置２００に、付加情報に対応するコンテンツを要請することができる。すなわち、ユーザは、移動端末１００を介して、コンテンツに係わる付加情報を確認した後、コンテンツの受信いかんを決定することができる。
【０１７３】
本発明の一実施形態によれば、移動端末１００は、多様な通信手段（例えば、近距離通信、移動通信、無線インターネットなど）を介して、ディスプレイ装置２００に付加情報に対応するコンテンツを要請することができる。
【０１７４】
段階１１６０で、移動端末１００は、ディスプレイ装置２００から、コンテンツを受信することができる。本発明の一実施形態によれば、ディスプレイ装置２００は、保存部に既保存のコンテンツを、移動端末１００に伝送することができる。
【０１７５】
段階１１７０で、移動端末１００は、獲得されたコンテンツを表示したり、再生したり、あるいは保存部に保存することができる。
【０１７６】
図１２は、本発明の一実施形態に係わる、移動端末がサーバを介してコンテンツを獲得する方法について説明するためのフローチャートである。図１２の段階１２１０ないし段階１２３０は、図１１の段階１１１０、段階１１４０、段階１１５０に対応するので、それに係わる重複説明は省略する。
【０１７７】
段階１２３０で、ディスプレイ装置２００は、移動端末１００の第４入力に基づいて、付加情報に対応するコンテンツの要請を受信することができる。段階１２４０で、ディスプレイ装置２００は、付加情報に対応するコンテンツのリンク情報（例えば、ＵＲＩ（uniform resource identifier））を移動端末１００に伝送する。
【０１７８】
その場合、段階１２５０で、移動端末１００は、コンテンツのリンク情報を基に、サーバ３００にコンテンツを要請することができる。本発明の一実施形態によれば、移動端末１００は、移動通信網（例えば、２Ｇ／３Ｇ／４Ｇ、ワイブロなど）を介して、サーバ３００にコンテンツを要請することもでき、無線ＬＡＮ（Ｗｉ−Ｆｉ：アドホック・モード、インフラストラクチャ・モード）を介して、サーバ３００にコンテンツを要請することもできる。
【０１７９】
本発明の一実施形態によるコンテンツは、静止映像（例えば、写真、絵、文書、電子書籍など）、動画（例えば、映画、ＴＶ放送プログラム、ユーチューブ映像、広告（ティーザ）映像など）、アプリケーション（例えば、ゲーム、家計簿、ダイアリなど）、音楽（歌、歌詞、ミュージックビデオなど）、ウェプページ及びＥＰＧ（electronic program guide）のうち、少なくとも一つを含んでもよい。
【０１８０】
段階１２６０、段階１２７０で、移動端末１００は、サーバ３００からコンテンツを受信することができる。本発明の一実施形態によれば、移動端末１００は、サーバ３００から、ダウンロード方式でコンテンツを受信することもでき、ストリーミング方式で、コンテンツを受信することもできる。
【０１８１】
段階１２８０で、移動端末１００は、獲得されたコンテンツを画面に表示したり、再生したり、あるいは保存部に保存することができる。このとき、本発明の一実施形態によれば、移動端末１００は、ユーザの入力を受信し、画面に表示または再生されるコンテンツを制御することができる。例えば、移動端末１００は、ユーザのタッチ入力、ベンディング入力、キー入力、音声入力及びモーション入力のうち、少なくとも一つに基づいて、コンテンツの再生／一時停止／再生速度／再生回数／スキップなどを制御することができる。
【０１８２】
図１３は、本発明の一実施形態に係わる、複数の移動端末がそれぞれディスプレイ装置のオブジェクトを選択する画面を示す図面である。
【０１８３】
図１３に図示されているように、第１移動端末１００−１、第２移動端末１００−２、第３移動端末１００−３それぞれは、外部のディスプレイ装置２００のオブジェクトをそれぞれ選択することができる。
【０１８４】
このとき、ディスプレイ装置２００は、第１移動端末１００−１、第２移動端末１００−２、第３移動端末１００−３それぞれの第１入力に基づいて、選択されるオブジェクトを表示することができる。例えば、第１移動端末１００−１が選択したオブジェクトの枠は、太く表示し、第２移動端末１００−２が選択したオブジェクトの枠は、点線で表示し、第３移動端末１００−３が選択したオブジェクトの枠は、一点鎖線で表示することができる。
【０１８５】
本発明の一実施形態によれば、複数の移動端末１００−１，１００−２，１００−３，…，１００−Ｎそれぞれは、他の移動端末の干渉を受けずに、自由にディスプレイ装置２００上のオブジェクトを選択したり、あるいは選択されたオブジェクトの付加情報を受信することができる。
【０１８６】
以下では、本発明の一実施形態による移動端末の構成について、図１４を参照して、詳細に説明する。
【０１８７】
図１４は、本発明の一実施形態に係わる移動端末の構成について説明するためのブロック構成図である。
【０１８８】
図１４に図示されているように、本発明の一実施形態による移動端末１００は、通信部１１０、ユーザ入力部１２０、獲得部１３０、出力部１４０、動作モード判断部１５０、保存部１６０、インターフェース部１７０、電源供給部１８０、制御部１９０を含んでもよい。しかし、図示された構成要素がいずれも必須構成要素であるわけではない。図示された構成要素より多くの構成要素によって、移動端末１００が具現されることもあり、それより少ない構成要素によっても、移動端末１００が具現されもする。
【０１８９】
以下、前記構成要素について順に説明する。
【０１９０】
通信部１１０は、移動端末１００とディスプレイ装置２００との通信、または移動端末１００と、ディスプレイ装置２００が位置したネットワークとの通信を行わせる一つ以上の構成要素を含んでもよい。例えば、通信部１１０は、放送受信モジュール１１１、移動通信モジュール１１２、無線インターネット・モジュール１１３、近距離通信モジュール１１４、位置情報モジュール１１５などを含んでもよい。
【０１９１】
放送受信モジュール１１１は、放送チャネルを介して、外部の放送管理サーバから、放送信号及び／または放送関連情報を受信する。前記放送チャネルは、衛星チャネル、地上波チャネルを含んでもよい。前記放送管理サーバは、放送信号及び／または放送関連情報を生成して送信するサーバ、または既生成の放送信号及び／または放送関連情報を提供されて端末機に送信するサーバを意味する。前記放送関連情報は、放送チャネル、放送プログラムまたは放送サービス提供者に係わる情報を意味する。前記放送信号は、ＴＶ放送信号、ラジオ放送信号、データ放送信号を含むだけでなく、ＴＶ放送信号またはラジオ放送信号に、データ放送信号が結合した形態の放送信号も含んでもよい。
【０１９２】
移動通信モジュール１１２は、移動通信網上で、基地局、外部のディスプレイ装置２００、サーバ３００のうち少なくとも一つと無線信号を送受信する。ここで、前記無線信号は、音声コール信号、画像通話コール信号または文字／マルチメディア・メッセージ送受信による多様な形態のデータを含んでもよい。
【０１９３】
無線インターネット・モジュール１１３は、無線インターネット接続のためのモジュールをいうものであり、無線インターネット・モジュール１１３は、移動端末１００に内蔵したり、あるいは外装される。
【０１９４】
近距離通信モジュール１１４は、近距離通信のためのモジュールをいう。近距離通信技術として、無線ＬＡＮ（Ｗｉ−Ｆｉ、ブルートゥース、ジグビー、ＷＦＤ（Ｗｉ−Ｆｉ direct）、ＵＷＢ（ultra-wideband）、赤外線通信（ＩｒＤＡ）などがあるが、それらに限定されるものではない。
【０１９５】
位置情報モジュール１１５は、移動端末１００の位置を確認したり、あるいは得るためのモジュールである。一例として、ＧＰＳ（global positioning system）モジュールがある。ＧＰＳモジュールは、複数個の人工衛星から位置情報を受信する。ここで、位置情報は、緯度及び経度で表示される座標情報を含んでもよい。特に、ＧＰＳモジュールは、衛星から受信した位置情報から、緯度、経度、高度の位置だけではなく、三次元の速度情報と共に正確な時間まで得ることができる。
【０１９６】
本発明の一実施形態による通信部１１０は、ディスプレイ装置２００に制御権限を要請し、ディスプレイ装置２００から、制御権限受諾メッセージを受信することができる。その場合、通信部１１０は、ディスプレイ装置２００に制御信号を送信することができる。例えば、通信部１１０は、ディスプレイ装置２００に表示されたオブジェクト・リストのうち、少なくとも１つのオブジェクトを選択する信号を、ディスプレイ装置２００に送信することができる。オブジェクトを選択する信号は、オブジェクトを選択するための選択領域の移動を制御する信号を含んでもよい。選択領域とは、ディスプレイ装置２００上で、カーサまたはポインタが位置する領域を意味する。
【０１９７】
通信部１１０は、選択領域の移動方向、選択領域の移動速度、及びディスプレイ装置２００の画面に表示されるオブジェクトの数のうち、少なくとも一つを制御する信号を、ディスプレイ装置２００に送信することもできる。
【０１９８】
通信部１１０は、ディスプレイ装置２００で選択されたオブジェクトに対応する付加情報、付加情報のリンク情報、オブジェクト、オブジェクトのリンク情報のうち、少なくとも一つをディスプレイ装置２００から受信することができる。リンク情報とは、コンテンツが位置したウェブサイトに係わる接続情報を意味する。リンク情報の一例として、ＵＲＬ（uniform resource locator）がある。
【０１９９】
通信部１１０は、付加情報のリンク情報を基に、サーバ３００から付加情報を受信することができる。また、通信部１１０は、オブジェクトのリンク情報を基に、サーバ３００からオブジェクトを受信することもできる。
【０２００】
ユーザ入力部１２０は、ユーザが、移動端末１００の制御のために、データを入力するための手段を意味する。例えば、ユーザ入力部１２０は、キーパッド（key pad）、ドームスィッチ（dome switch）、タッチパッド（接触式静電容量方式、圧力式抵抗膜方式、赤外線感知方式、表面超音波伝導方式、積分式張力測定方式、ピエゾ効果方式など、ジョグホイール、ジョグスィッチなどで構成される。特に、タッチパッドが、後述するディスプレイ部１５１と、相互レイヤ構造をなす場合、それをタッチスクリーンと呼ぶことができる。
【０２０１】
また、ユーザ入力部１２０は、ユーザからデータを入力されるための少なくとも一つ以上のモジュールを含んでもよい。例えば、ユーザ入力部１２０は、モーション認識モジュール１２１、タッチ認識モジュール１２２、ベンディング動作認識モジュール１２３、音声認識モジュール１２４などを含む。
【０２０２】
モーション認識モジュール１２１は、移動端末１００の動きを認識し、移動端末１００の動きに係わる情報を、制御部１９０に伝達することができる。
【０２０３】
モーション認識モジュール１２１は、移動端末１００の動きを認識するための多様なセンサを含んでもよい。例えば、加速度センサ（acceleration sensor）、勾配センサ（tilt sensor）、ジャイロセンサ（gyro sensor）、磁場センサ（３−axis magnetic sensor）などを含んでもよい。
【０２０４】
本発明の一実施形態によるモーション入力には、Ｘ軸方向、Ｙ軸方向、Ｚ軸方向に移動端末１００が移動される三次元モーション入力、三次元空間上の少なくとも１つの方向に、移動端末１００が回転される回転モーション入力、移動端末１００が少なくとも１つの方向に揺れるシェイキング・モーション入力などがある。
【０２０５】
タッチ認識モジュール１２２は、ユーザのタッチスクリーン上のタッチ・ジェスチャを感知し、タッチ・ジェスチャに係わる情報を、制御部１９０に伝達することができる。
【０２０６】
タッチスクリーンのタッチまたは近接タッチを感知するために、タッチスクリーンの内部または近くに、多様なセンサが具備されもする。タッチスクリーンのタッチを感知するためのセンサの一例として、触覚センサがある。触覚センサは、人間が感じる程度、またはそれ以上に特定物体の接触を感知するセンサをいう。前記触覚センサは、接触面の粗度、接触物体の硬度、接触地点の温度などの多様な情報を感知することができる。
【０２０７】
また、タッチスクリーンのタッチを感知するためのセンサの一例として、近接センサがある。
【０２０８】
近接センサは、所定の検出面に近付く物体、あるいは近傍に存在する物体の有無を電子系の力または赤外線を利用して、機械的接触なしに検出するセンサをいう。近接センサの例としては、透過型光電センサ、直接反射型光電センサ、ミラー反射型光電センサ、高周波発振型近接センサ、静電容量型近接センサ、磁気型近接センサ、赤外線近接センサなどがある。
【０２０９】
ユーザのタッチ・ジェスチャには、タップ、タッチ＆ホールド、ダブルタップ、ドラッグ、パニング、フリック、ドラッグアンドドロップなどがある。
【０２１０】
ベンディング動作認識モジュール１２３は、移動端末１００のベンディング動作を感知し、感知されたベンディング動作に係わる情報を、制御部１９０に伝達することができる。「ベンディング（bending）」とは、外部の力によって、移動端末１００が曲がることを意味する。また、「ベンディング動作（bending motion）」とは、移動端末１００が反る動きを意味する。本発明の一実施形態によるベンディング動作は、多様である。例えば、本発明の一実施形態によるベンディング動作は、ユーザのフォールディング・ジェスチャ、ローリング・ジェスチャ、シェイキング・ジェスチャ、ベンディング・ジェスチャなどによって、移動端末１００が反る動きをいずれも指す。
【０２１１】
本発明の一実施形態によれば、ベンディング動作認識モジュール１２３は、ベンディング動作を感知するためのベンディング・センサを含んでもよい。ベンディング動作認識モジュール１２３は、複数のベンディング・センサから、ベンディング動作に係わる情報を収集、分析し、移動端末１００のベンディング動作を感知することができる。
【０２１２】
ベンディング動作認識モジュール１２３は、ベンディング動作に係わり、ベンディング位置（座標値、ベンディング方向、ベンディング角度、ベンディング強度、ベンディング速度、ベンディング回数、ベンディング動作発生時点、ベンディング動作維持時間に係わる情報を獲得することができる。
【０２１３】
例えば、ベンディング動作認識モジュール１２３は、ベンディングされる部分の圧力と、他の部分の圧力とか異なるという特徴を利用して、ベンディング位置、ベンディング方向を求めることができる。また、ベンディング動作認識モジュール１２３は、ベンディングされる部分の力の変化量に基づいて、ベンディングされる角度、半径、回数、速度などを求めることもできる。一方、ベンディング動作認識モジュール１２３は、加速度センサを介して、各部分が変形される速度を測定し、速度の変化が大きい位置を連結し、ベンディング位置及びベンディング角度を求めることもできる。
【０２１４】
音声認識モジュール１２４は、音声認識エンジンを利用して、ユーザの音声を認識し、認識された音声を、制御部１９０に伝達することができる。
【０２１５】
本発明の一実施形態によるユーザ入力部１２０は、ディスプレイ装置２００のオブジェクトを選択するための移動端末１００の第１入力、選択されたオブジェクトの付加情報を獲得するための移動端末１００の第２入力、移動端末１００に表示された付加情報を制御するための移動端末１００の第３入力、付加情報に対応するコンテンツを獲得するための移動端末１００の第４入力を受信することができる。
【０２１６】
移動端末１００の第１入力、移動端末１００の第２入力、移動端末１００の第３入力、移動端末１００の第４入力は、モーション入力、キー入力、タッチ入力、ベンディング入力及び音声入力のうち、少なくとも一つを含んでもよい。
【０２１７】
本発明の一実施形態によれば、移動端末１００の第１入力、移動端末１００の第２入力、移動端末１００の第３入力、移動端末１００の第４入力は、同一種類の入力でもあり、異なる種類の入力でもある。例えば、移動端末１００の第１入力、及び移動端末１００の第２入力は、モーション入力であり、移動端末１００の第３入力は、タッチ入力であり、移動端末１００の第４入力は、音声入力でもある。
【０２１８】
獲得部１３０は、外部からデータを獲得することができる。獲得部１３０は、付加情報獲得部１３１及びコンテンツ獲得部１３２を含んでもよい。付加情報獲得部１３１は、ディスプレイ装置２００で選択されたオブジェクトに対応する付加情報を、ディスプレイ装置２００に要請することができる。その場合、付加情報獲得部１３１は、ディスプレイ装置２００から付加情報を受信することもでき、付加情報のリンク情報を受信することもできる。
【０２１９】
付加情報のリンク情報が受信された場合、付加情報獲得部１３１は、付加情報のリンク情報を基に、サーバ３００に接続し、付加情報を獲得することができる。
【０２２０】
コンテンツ獲得部１３２は、ディスプレイ装置２００で選択されたオブジェクトに対応するコンテンツを、ディスプレイ装置２００に要請することができる。コンテンツ獲得部１３２は、ディスプレイ装置２００からコンテンツを受信することもでき、コンテンツのリンク情報を受信することもできる。コンテンツの付加情報が受信された場合、コンテンツ獲得部１３２は、コンテンツのリンク情報を基に、サーバ３００からコンテンツを獲得することができる。
【０２２１】
出力部１４０は、オーディオ信号、ビデオ信号またはアラーム（alarm）信号の出力のためのものであり、それには、ディスプレイ部１４１、音響出力モジュール１４２及びアラーム部１４３が含まれてもよい。
【０２２２】
ディスプレイ部１４１は、移動端末１００で処理される情報を表示出力する。例えば、移動端末１００は、ディスプレイ装置２００で選択されたオブジェクトに対応する付加情報、ディスプレイ装置２００で選択されたオブジェクトに対応するコンテンツ、ディスプレイ装置２００で選択されたオブジェクトに対応するコンテンツのサムネイル情報などを画面に表示することができる。
【０２２３】
コンテンツのサムネイル情報とは、選択されたオブジェクトに対応するコンテンツを示す概略的な情報であり、例えば、コンテンツのサムネイル情報には、コンテンツのアイコン、コンテンツの名称、コンテンツの種類（type）、コンテンツの識別情報などが含まれてもよい。
【０２２４】
一方、前述のように、ディスプレイ部１４１とタッチパッドとがレイヤ構造をなし、タッチスクリーンに構成される場合、ディスプレイ部１４１は、出力装置以外に、入力装置として使用されもする。ディスプレイ部１４１は、液晶ディスプレイ（liquid crystal display）、薄膜トランジスタ液晶ディスプレイ（thin film transistor-liquid crystal display）、有機発光ダイオード（organic light-emitting diode）、フレキシブル・ディスプレイ（flexible display）、三次元ディスプレイ（３Ｄ display）、電気泳動ディスプレイ（electrophoretic display）のうち少なくとも一つを含んでもよい。そして、移動端末機１００の具現形態によって、ディスプレイ部１４１が２個以上存在することもある。
【０２２５】
音響出力モジュール１４２は、コール信号受信、通話モードまたは録音モード、音声認識モード、放送受信モードなどで、無線通信部１１０から受信されるか、あるいは保存部１６０に保存されたオーディオデータを出力する。また、音響出力モジュール１５２は、移動端末１００で遂行される機能（例えば、コール信号受信音、メッセージ受信音など）に係わる音響信号を出力する。このような音響出力モジュール１４２には、スピーカ（speaker）、ブザー（buzzer）などが含まれてもよい。
【０２２６】
アラーム部１４３は、移動端末１００のイベント発生を知らせるための信号を出力する。移動端末１００で生じるイベントの例としては、コール信号受信、メッセージ受信、キー信号入力、オブジェクト選択などがある。アラーム部１４３は、オーディオ信号やビデオ信号以外に、他の形態として、イベント発生を知らせるための信号を出力することもできる。例えば、振動形態で信号を出力することができる。コール信号が受信されるか、あるいはメッセージ、コンテンツ、付加情報が受信された場合、それらを知らせるために、アラーム部１４３は、振動を出力することができる。または、キー信号、タッチ・ジェスチャ、ベンディング・ジェスチャが入力された場合、キー信号、タッチ・ジェスチャ、ベンディング・ジェスチャの入力に係わるフィードバックとして、アラーム部１４３は、振動を出力することができる。前記のような振動出力を介して、ユーザは、イベント発生を認知することができる。もちろん、イベント発生知らせのための信号は、ディスプレイ部１４１や音声出力モジュール１４２を介して出力されもする。
【０２２７】
動作モード判断部１５０は、移動端末１００の動作モードを判断することができる。動作モードの例として、ディスプレイ装置２００のオブジェクトを選択するモード、選択されたオブジェクトに対応する付加情報を表示するモード、選択されたオブジェクトに対応するコンテンツを表示するモードなどがある。
【０２２８】
本発明の一実施形態によれば、動作モード判断部１５０は、移動端末１００が縦モードである場合、動作モードを、第１モード（例えば、オブジェクトを選択するモード）と判断し、移動端末１００が横モードである場合、動作モードを、第２モード（例えば、付加情報を表示するモード）と判断することができる。
【０２２９】
本発明の一実施形態によれば、動作モード判断部１５０は、画面に表示された情報に基づいて、移動端末１００の動作モードを判断することもできる。例えば、動作モード判断部１５０は、移動端末１００の画面に表示された情報が、ディスプレイ装置２００に表示されたオブジェクトに対応するコンテンツのサムネイル情報、または移動端末１００の移動方向情報である場合、移動端末１００の動作モードを、第１モードと判断することができる。そして、移動端末１００の画面に表示された情報が、ディスプレイ装置２００に表示されたオブジェクトに対応するコンテンツ、またはオブジェクトに対応する付加情報である場合、動作モード判断部１５０は、移動端末１００の動作モードを、第２モードと判断することができる。
【０２３０】
保存部１６０は、制御部１９０の処理及び制御のためのプログラムが保存される。また、保存部１６０は、入出力されるデータの保存のための機能を遂行することもできる。例えば、入出力されるデータには、ディスプレイ装置２００から獲得されたコンテンツ（例えば、静止映像、動画、音楽、文書、アプリケーション、リンク情報など）、サーバ３００から獲得されたコンテンツなどがある。
【０２３１】
保存部１６０は、フラッシュメモリ・タイプ（flash memory type）、ハードディスク・タイプ（hard disk type）、マルチメディアカードマイクロ・タイプ（multimedia card micro type）、カードタイプのメモリ（例えば、ＳＤメモリまたはＸＤメモリなど）、ＲＡＭ（random-access memory）、ＳＲＡＭ（static random access memory）、ＲＯＭ（read-only memory）、ＥＥＰＲＯＭ（electrically erasable programmable read-only memory）、ＰＲＯＭ（programmable read-only memory）、磁気メモリ、磁気ディスク、光ディスクのうち、少なくとも１つのタイプの記録媒体を含んでもよい。また、移動端末１００は、インターネット上で保存機能を遂行するウェブ・ストレージ（web storage）を運用することもできる。
【０２３２】
インターフェース部１７０は、移動端末１００に連結される全ての外部機器とのインターフェースの役割を行う。例えば、有線／無線ヘッドセット・ポート、外部充電器ポート、有線／無線データ・ポート、メモリカード（memory card）・ポート、識別モジュールが具備された装置を連結するポート、オーディオＩ／Ｏ（input/output）ポート、ビデオＩ／Ｏ（input/output）ポート、イヤホン・ポートなどが含まれてもよい。
【０２３３】
ここで、識別モジュールは、移動端末機１００の使用権限を認証するための各種情報を保存したチップであり、ユーザ認証モジュール（ＵＩＭ：user identify module）、加入者認証モジュール（ＳＩＭ：subscriber identification module）、汎用ユーザ認証モジュール（ＵＳＩＭ：universal subscriber identity module）などを含んでもよい。
【０２３４】
電源供給部１８０は、制御部１９０の制御によって、外部の電源、内部の電源を印加され、各構成要素の動作に必要な電源を供給する。
【０２３５】
制御部１９０は、一般的に、移動端末１００の全般的な動作を制御する。すなわち、制御部１９０は、通信部１１０、ユーザ入力部１２０、獲得部１３０、出力部１４０、動作モード判断部１５０、保存部１６０、インターフェース部１７０、電源供給部１８０を全般的に制御することができる。
【０２３６】
制御部１９０は、オブジェクトを選択する信号を、ディスプレイ装置２００のデータフォーマットによって変換することができる。すなわち、制御部１９０は、ディスプレイ装置２００の種類によって、ディスプレイ装置２００が認識することができるデータフォーマットで、選択領域を移動したり、あるいはオブジェクトを選択する制御信号を生成することができる。
【０２３７】
本発明の一実施形態による制御部１９０は、移動端末１００に表示される付加情報またはコンテンツを制御することができる。例えば、付加情報の表示（表示される領域、表示されるサイズなど）、付加情報の再生、一時停止、以前付加情報または次の付加情報への転換などを制御することができる。
【０２３８】
制御部１９０は、移動端末１００の動作モードによって、外部のディスプレイ装置２００を制御する第１制御信号を生成したり、あるいは移動端末１００に表示されるコンテンツを制御する第２信号を選択的に生成することができる。本発明の一実施形態によれば、第１制御信号は、ディスプレイ装置２００のオブジェクトを選択するための選択領域の移動を制御する信号を含み、第２制御信号は、コンテンツの再生、コンテンツの編集、コンテンツの伝送のうち、少なくとも一つを制御する信号を含んでもよい。
【０２３９】
一方、制御部１９０は、移動端末１００の回転モーションに基づいて、移動端末１００の動作モードを変更することができる。例えば、制御部１９０は、第１回転モーション入力に基づいて、移動端末１００の動作モードを、第１モードから第２モードに転換するか、あるいは第２回転モーション入力に基づいて、移動端末１００の動作モードを、第２モードから第１モードに転換することができる。
【０２４０】
ここで説明する多様な実施形態は、例えば、ソフトウェア、ハードウェアまたはそれらの組み合わされたものを利用して、コンピュータで読み取り可能な記録媒体内で具現されもする。
【０２４１】
ハードウェア的な具現によれば、ここで説明する実施形態は、ＡＳＩＣｓ（application specific integrated circuits）、ＤＳＰｓ（digital signal processors）、ＤＳＰＤｓ（digital signal processing devices）、ＰＬＤｓ（programmable logic devices）、ＦＰＧＡｓ（field programmable gate arrays）、プロセッサ（processors）、制御機（controllers）、マイクロコントローラ（micro-controllers）、マイクロプロセッサ（microprocessors）、機能遂行のための電気的なユニットのうち、少なくとも一つを利用して具現されもする。一部の場合に、かような実施形態が、制御部１９０によって具現されもする。
【０２４２】
ソフトウェア的な具現によれば、手続きや機能のような実施形態は、少なくとも１つの機能または作動を遂行させる別個のソフトウェア・モジュールと共に具現される。ソフトウェア・コードは、適切なプログラム言語で書かれたソフトウェア・アプリケーションによって具現されもする。また、ソフトウェア・コードは、メモリ１６０に保存されて、制御部１９０によって実行される。
【０２４３】
図１５は、本発明の一実施形態に係わるディスプレイ装置の構成について説明するためのブロック構成図である。
【０２４４】
図１５に図示されているように、本発明の一実施形態によるディスプレイ装置２００は、通信部２１０、選択部２２０、出力部２３０、感知部２４０、保存部２５０、制御部２６０を含んでもよい。しかし、図示された構成要素がいずれも必須構成要素であるわけではない。図示された構成要素より多くの構成要素によって、ディスプレイ装置２００が具現されもし、それより少ない構成要素によっても、ディスプレイ装置２００が具現される。
【０２４５】
以下、前記構成要素について順に説明する。
【０２４６】
通信部２１０は、ディスプレイ装置２００と移動端末１００との通信、またはディスプレイ装置２００と、移動端末１００が位置したネットワークとの通信を行わせる一つ以上の構成要素を含んでもよい。例えば、通信部２１０は、放送受信モジュール２１１、無線インターネット・モジュール２１２、有線インターネット・モジュール２１３、近距離通信モジュール２１４などを含んでもよい。
【０２４７】
放送受信モジュール２１１は、放送チャネルを介して、外部の放送管理サーバから放送信号及び／または放送関連情報を受信する。前記放送チャネルは、衛星チャネル、地上波チャネルを含んでもよい。
【０２４８】
無線インターネット・モジュール２１２は、無線インターネット接続のためのモジュールをいうものであり、無線インターネット・モジュール２１２は、ディスプレイ装置２００に内蔵されたり、あるいは外装されもする。有線インターネット・モジュール２１３は、有線インターネット接続のためのモジュールを意味する。
【０２４９】
近距離通信モジュール２１４は、近距離通信のためのモジュールをいう。近距離通信技術として、無線ＬＡＮ（Ｗｉ−Ｆｉ）、ブルートゥース、ジグビー、ＷＦＤ（（Ｗｉ−Ｆｉ direct）、ＵＷＢ（ultra wideband）、赤外線通信（ＩｒＤＡ）などがあるが、それらに限定されるものではない。
【０２５０】
本発明の一実施形態による通信部２１０は、移動端末１００から制御権限要請を受信し、要請に応答し、制御権限受諾／無視（accept/ignore）メッセージを、移動端末１００に伝送することができる。
【０２５１】
通信部２１０は、ディスプレイ装置２００に表示されたオブジェクトに対応する付加情報、またはディスプレイ装置２００に表示されたオブジェクトに対応するコンテンツを、移動端末１００に伝送することができる。このとき、通信部２１０は、保存部２５０に既保存の付加情報またはコンテンツを、移動端末１００に伝送するか、あるいはサーバ３００で付加情報またはコンテンツを検索し、移動端末１００に提供することができる。また、通信部２１０は、付加情報のリンク情報（例えば、ＵＲＬ）、コンテンツのリンク情報（例えば、ＵＲＬ）を移動端末１００に伝送することもできる。
【０２５２】
選択部２２０は、移動端末１００の第１入力に基づいて、ディスプレイ装置２００に表示されたオブジェクトを選択することができる。例えば、選択部２２０は、移動端末１００の第１入力信号に基づいて、移動端末１００からオブジェクトを選択するための選択領域の移動を制御する制御信号を受信することができる。そして、選択部２２０は、受信された制御信号によって、選択領域を移動させてオブジェクトを選択することができる。
【０２５３】
出力部２３０は、オーディオ信号、ビデオ信号またはアラーム（alarm）信号の出力のためのものであり、それには、ディスプレイ部２３１、音響出力モジュール２３２、アラーム部２３３などが含まれてもよい。ディスプレイ部２３１は、ディスプレイ装置２００で処理される情報を表示出力する。例えば、ディスプレイ装置２００は、オブジェクト・リストを表示することができる。オブジェクト・リストには、コンテンツを示すイメージ、アイコン、名称などが含まれてもよい。オブジェクト・リストは、ＧＵＩ形態で表示されもする。
【０２５４】
本発明の一実施形態によれば、ディスプレイ部２３１は、移動端末１００の第１入力に基づいて、選択されるオブジェクトを識別するための表示を画面に行うこともできる。例えば、ディスプレイ部２３１は、選択領域が位置したオブジェクトの外郭に、ボックス表示をしたり、選択領域が位置したオブジェクトのサイズを大きくしたり、あるいは選択領域が位置したオブジェクトを明滅させることができる。
【０２５５】
音響出力モジュール２３２は、通信部２１０を介して受信されるか、あるいは保存部２５０に保存されたオーディオデータを出力する。このような音響出力モジュール２３２）には、スピーカ（speaker）、ブザー（buzzer）などが含まれてもよい。
【０２５６】
アラーム部２３３は、ディスプレイ装置２００のイベント発生を知らせるための信号を出力する。ディスプレイ装置２００で生じるイベントの例としては、電源オン／オフ、メッセージ受信、放送コンテンツ受信完了、オブジェクト選択などがある。
【０２５７】
感知部２４０は、移動端末１００のユーザ入力を感知することができる。例えば、感知部２４０は、ディスプレイ装置２００に表示されたオブジェクトを選択するための移動端末１００の第１入力、及び選択されたオブジェクトの付加情報を獲得するための第２入力のうち、少なくとも一つを感知することができる。
【０２５８】
本発明の一実施形態による感知部２４０は、カメラ２４１、マイク２４２などを含んでもよい。本発明の一実施形態によるカメラ２４１は、深さカメラ（depth camera）、多視点カメラ（multi-view camera）などでもある。深さカメラは、ＴＯＦ（time-of-flight）技術を利用して、場面内物体の距離情報をリアルタイムで測定し、測定された値は、深さ映像として出力され、両眼式カメラあるいは多視点カメラと共に、場面の高画質深さマップを制作するのに使用される。
【０２５９】
移動端末１００のユーザ入力が、モーション入力またはベンディング入力である場合、感知部２４０は、カメラ２４１を介して、移動端末１００の動き、または移動端末１００のベンディング動作を感知することができる。
【０２６０】
また、移動端末１００のユーザ入力が音声入力である場合、感知部２４０は、マイク２４２を介して、ユーザの音声を認識して分析することができる。
【０２６１】
保存部２５０は、制御部２６０の処理及び制御のためのプログラムが保存されもする。また、保存部２５０は、入出力されるデータの保存のための機能を遂行することもできる。例えば、入出力されるデータには、サーバ３００から獲得されたコンテンツ（例えば、静止映像、動画、音楽、文書、アプリケーション、リンク情報など）などがある。
【０２６２】
保存部１６０は、フラッシュメモリ・タイプ（flash memory type）、ハードディスク・タイプ（hard disk type）、マルチメディアカードマイクロ・タイプ（multimedia card micro type）、カードタイプのメモリ（例えば、ＳＤメモリまたはＸＤメモリなど）、ＲＡＭ、ＳＲＡＭ、ＲＯＭ、ＥＥＰＲＯＭ、ＰＲＯＭ、磁気メモリ、磁気ディスク、光ディスクのうち、少なくとも１つのタイプの記録媒体を含む。また、ディスプレイ装置２００は、インターネット上で保存機能を遂行するウェブ・ストレージを運用することもできる。
【０２６３】
制御部２６０は、一般的に、ディスプレイ装置２００の全般的な動作を制御する。すなわち、制御部２６０は、通信部２１０、選択部２２０、出力部２３０、感知部２４０、保存部２５０を全般的に制御することができる。
【０２６４】
本発明の一実施形態による制御部２６０は、移動端末１００の第１入力に基づいて、オブジェクトを選択するための選択領域の移動方向、選択領域の移動速度、ディスプレイ装置２００の画面に表示されるオブジェクトの数のうち、少なくとも一つを制御することができる。例えば、ユーザが移動端末１００を、上下左右に移動させる場合、ディスプレイ装置２００上の選択領域も、上下左右に移動し、ユーザが移動端末１００を速く動かす場合、選択領域がいくつものスペースを移動することができる。また、ユーザが移動端末１００を、＋Ｚ軸方向に移動させる場合、ディスプレイ装置２００の画面に表示されるオブジェクトの数が増加し、ユーザが、移動端末１００を−Ｚ軸方向に移動させる場合、ディスプレイ装置２００の画面に表示されるオブジェクトの数が減少する。
【０２６５】
本発明の一実施形態によれば、制御部２６０は、移動端末１００から受信された第１入力を、ディスプレイ装置２００のデータフォーマットによって、選択領域の移動を制御する制御信号に変換することができる。例えば、制御部２６０は、移動端末１００から、臨界値以上の所定のジャイロセンサ値（例えば、１０ｄｅｇ／ｓｅｃ）が受信されるたびに、選択領域が１スペース移動する制御信号を生成することができる。
【０２６６】
本発明の一実施形態によれば、制御部２６０は、選択されたオブジェクトに対応するコンテンツから、付加情報を抽出することもできる。
【０２６７】
図１６は、本発明の一実施形態に係わるディスプレイ装置の情報提供方法について説明するためのフローチャートである。図１６を参照すれば、本発明の一実施形態によるディスプレイ装置２００の情報提供方法は、図１５に図示されたディスプレイ装置２００で、時系列的に処理される段階によって構成される。従って、以下で省略された内容であるとしても、図１５に図示されたディスプレイ装置２００について、以上で説明した内容は、図１６の情報提供方法にも適用されるということが分かる。
【０２６８】
段階１６１０で、ディスプレイ装置２００は、移動端末１００の第１入力を受信し、画面に表示された少なくとも１つのオブジェクトを選択することができる。本発明の一実施形態による移動端末１００の第１入力は、モーション入力、キー入力、タッチ入力、ベンディング入力及び音声入力のうち、少なくとも一つを含んでもよい。例えば、ユーザは、Ｘ軸、Ｙ軸、Ｚ軸の三次元方向に、移動端末１００を動かす三次元モーション入力を介して、ディスプレイ装置２００の画面に表示された少なくとも１つのオブジェクトを選択することができる。
【０２６９】
本発明の一実施形態によれば、ディスプレイ装置２００は、移動端末１００の第１入力に基づいて、移動端末１００で生成された、選択領域の移動を制御する信号を、移動端末１００から受信することができる。すなわち、本発明の一実施形態による選択領域の移動を制御する信号は、移動端末１００で、ディスプレイ装置２００のデータフォーマットに変換された信号でもある。ディスプレイ装置２００は、移動端末１００から受信された制御信号によって、選択領域を移動してオブジェクトを選択する。
【０２７０】
本発明の他の実施形態によれば、ディスプレイ装置２００は、受信された第１入力をディスプレイ装置２００のデータフォーマットに基づいて、選択領域の移動を制御する制御信号に変換することもできる。すなわち、移動端末１００から、ディスプレイ装置２００のデータフォーマットに変換されていない信号が受信された場合、ディスプレイ装置２００は、自体のデータフォーマットに該当するように、受信された信号を変換することができる。
【０２７１】
本発明の一実施形態によれば、ディスプレイ装置２００は、複数の移動端末それぞれから、選択領域の移動を制御する制御信号を受信することもできる。
【０２７２】
一方、本発明の一実施形態によれば、ディスプレイ装置２００は、カメラ２４１を介して、移動端末１００の第１入力を感知することができる。このとき、ディスプレイ装置２００は、感知された移動端末１００の第１入力に基づいて、選択領域の移動を制御する制御命令、オブジェクトを選択する制御命令を直接生成することができる。本発明の他の実施形態によれば、ディスプレイ装置２００は、移動端末１００の第１入力を感知することにより、移動端末１００から受信されたオブジェクトを選択する信号に係わる検証を遂行することもできる。
【０２７３】
本発明の一実施形態によれば、ディスプレイ装置２００は、移動端末１００の第１入力に基づいて、オブジェクトを選択するための選択領域の移動方向、選択領域の移動速度、及び画面に表示されるオブジェクトの数のうち、少なくとも一つを制御することができる。
【０２７４】
例えば、移動端末１００が左側方向に移動されるか、移動端末１００の左側領域がベンディングされるか、移動端末１００のタッチスクリーン上で、指またはライトペンが左側方向にドラッグされるか、左側方向キーが押されるか、あるいは「左側移動」の音声が入力される場合、ディスプレイ装置２００は、選択領域を左に移動することができる。
【０２７５】
また、移動端末１００の動き速度、移動端末１０のベンディング回数、タッチ・ジェスチャの移動速度などを基に、ディスプレイ装置２００は、選択領域の移動速度を早くしたり、遅くしたりすることができる。すなわち、ディスプレイ装置２００は、選択領域を１スペースずつ移動させることもでき、いくつものスペースを移動させることもできる。
【０２７６】
また、本発明の一実施形態によれば、移動端末１００が、＋Ｚ軸に移動される場合、ディスプレイ装置２００は、画面に表示されるオブジェクトの数を増加させ、移動端末１００が、−Ｚ軸に移動される場合、ディスプレイ装置２００は、画面に表示されるオブジェクトの数を減少させることもできる。
【０２７７】
一方、ディスプレイ装置２００は、オブジェクトに対応するコンテンツのサムネイル情報を、移動端末１００に送信することもできる。例えば、ディスプレイ装置２００は、オブジェクトを選択している最中に、選択領域が位置したオブジェクトに対応するコンテンツのアイコン、コンテンツのイメージ、コンテンツのタイトル、コンテンツの種類（type）、コンテンツの識別情報などを、移動端末１００に伝送することができる。
【０２７８】
段階１６２０で、ディスプレイ装置２００は、移動端末１００の第２入力に基づいて、選択されたオブジェクトに対応する付加情報を、移動端末１００に送信することができる。本発明の一実施形態による移動端末１００の第２入力は、選択されたオブジェクトに対応する付加情報を要請する入力でもある。
【０２７９】
本発明の一実施形態による移動端末１００の第２入力は、モーション入力、ベンディング入力、キー入力、音声入力及びタッチ入力のうち、少なくとも一つを含んでもよい。例えば、移動端末１００の第２入力は、移動端末１００を、所定角度以上回転させる回転モーション入力でもある。
【０２８０】
本発明の一実施形態によれば、ディスプレイ装置２００は、移動端末１００の第２入力を感知することもできる。その場合、ディスプレイ装置２００は、移動端末１００から付加情報要請が受信されないとしても、第２入力に基づいて、移動端末１００に付加情報を伝送する。
【０２８１】
本発明の一実施形態によれば、ディスプレイ装置２００は、保存部２５０に保存された付加情報を送信することもでき、選択されたオブジェクトに対応するコンテンツから付加情報を抽出し、移動端末１００に送信することもできる。また、ディスプレイ装置２００は、付加情報のリンク情報を基に、サーバ３００から付加情報を受信し、移動端末１００に伝送することもできる。一方、ディスプレイ装置２００は、付加情報のリンク情報を、移動端末１００に送信することもできる。
【０２８２】
本発明の一実施形態による付加情報は、プレビュー情報、プレリスニング情報、アプリケーション情報、ユーザ評価情報、アップデート情報、新聞記事情報、商品情報、映画情報、ゲーム情報、広告映像情報及びアルバム情報のうち、少なくとも一つを含んでもよい。
【０２８３】
段階１６３０で、ディスプレイ装置２００は、移動端末１００の画面に表示された付加情報に対応するコンテンツに係わる送信要請を、移動端末１００から受信することができる。すなわち、ユーザは、コンテンツの付加情報をまず確認し、気に入る場合、当該コンテンツをダウンロードすることができる。
【０２８４】
段階１６４０で、ディスプレイ装置２００は、移動端末１００にンテンツを伝送することができる。このとき、本発明の一実施形態によれば、ディスプレイ装置２００は、保存部２５０に保存されたコンテンツを、移動端末１００に伝送することもでき、サーバ３００からコンテンツを受信し、移動端末１００に伝送することもできる。また、ディスプレイ装置２００は、コンテンツをダウンロードすることができるリンク情報を移動端末１００に伝送することもできる。
【０２８５】
図１７は、本発明の一実施形態に係わる移動端末の制御信号生成方法について説明するためのフローチャートである。図１７を参照すれば、本発明の一実施形態による移動端末１００の制御信号生成方法は、図１４に図示された移動端末１００で、時系列的に処理される段階によって構成される。従って、以下で省略された内容であるとしても、図１４に図示された移動端末１００について、以上で記述された内容は、図１７の制御信号生成方法にも適用されるということが分かる。
【０２８６】
段階１７１０で、移動端末１００は、ユーザ入力を受信することができる。本発明の一実施形態によるユーザ入力は、モーション入力、キー入力、タッチ入力、ベンディング入力及び音声入力のうち、少なくとも一つを含んでもよい。
【０２８７】
段階１７２０で、移動端末１００は、移動端末１００の動作モードを判断することができる。本発明の一実施形態による動作モードは、ディスプレイ装置２００を制御するモード（第１モード）、移動端末１００を制御するモード（第２モード）を含んでもよい。例えば、動作モードには、ディスプレイ装置２００のオブジェクトを選択するモード、選択されたオブジェクトに対応する付加情報を移動端末１００で表示するモード、付加情報に対応するコンテンツを移動端末１００で表示するモードなどがある。
【０２８８】
本発明の一実施形態によれば、移動端末１００は、移動端末１００が縦モードである場合、動作モードを、第１モード（例えば、オブジェクト選択モード）と判断し、移動端末１００が横モードである場合、動作モードを、第２モード（例えば、付加情報表示モード）と判断することができる。
【０２８９】
また、本発明の他の実施形態によれば、移動端末１００は、移動端末１００の画面に表示された情報に基づいて、移動端末１００の動作モードを判断することもできる。例えば、移動端末１００は、移動端末１００の画面に表示された情報が、ディスプレイ装置２００に表示されたオブジェクトに対応するコンテンツのサムネイル情報、または移動端末１００の移動方向情報である場合、移動端末１００の動作モードを、第１モードと判断し、移動端末１００の画面に表示された情報が、ディスプレイ装置に表示されたオブジェクトに対応するコンテンツ、または前記オブジェクトに対応する付加情報である場合、移動端末の動作モードを、第２モードと判断することができる。
【０２９０】
段階１７３０で、移動端末１００の動作モードが、第１モードである場合、移動端末１００は、ユーザ入力に基づいて、外部のディスプレイ装置２００を制御する第１制御信号を生成することができる。
【０２９１】
本発明の一実施形態による第１モードは、ディスプレイ装置２００のオブジェクトを選択するモードでもある。また、本発明の一実施形態による第１制御信号は、ディスプレイ装置２００のオブジェクトを選択するための選択領域の移動を制御する信号を含んでもよい。すなわち、第１モードで、ユーザ入力が受信されれば、移動端末１００は、受信されたユーザ入力を、オブジェクトを選択するための選択領域の移動を制御する信号に変換することができる。
【０２９２】
例えば、第１モード下で、移動端末１００を上側方向（＋Ｙ方向）に移動させるモーション入力が受信されるか、あるいはタッチスクリーンを上側方向にドラッグするタッチ入力が受信される場合、移動端末１００は、オブジェクトを選択するための選択領域を、上に１スペース移動する制御信号を生成することができる。
【０２９３】
本発明の一実施形態によれば、移動端末１００は、第１信号を、ディスプレイ装置２００のデータフォーマットによって変換することもできる。
【０２９４】
段階１７４０で、移動端末１００の動作モードが、第２モードである場合、移動端末１００は、前記ユーザ入力に基づいて、移動端末１００に表示されるコンテンツを制御する第２制御信号を生成することができる。
【０２９５】
本発明の一実施形態による第２モードは、選択されたオブジェクトに対応する付加情報を、移動端末１００で表示するモードでもある。また、本発明の一実施形態による第２制御信号は、コンテンツの再生（play/pause）、コンテンツの編集（移動、保存、コピー、削除など）、及びコンテンツの伝送のうち、少なくとも一つを制御する信号を含んでもよい。すなわち、第２モードで、ユーザ入力が受信されれば、移動端末１００は、受信されたユーザ入力を、コンテンツを制御する信号に変換することができる。
【０２９６】
例えば、第２モード下で、移動端末１００を上側方向（＋Ｙ方向）に移動させるモーション入力が受信されるか、あるいはタッチスクリーンを上側方向にドラッグするタッチ入力が受信される場合、移動端末１００は、再生中のコンテンツを中止する制御信号を生成することができる。
【０２９７】
本発明の一実施形態による第２モード下で制御されるコンテンツは、第１制御信号を基に、ディスプレイ装置２００で選択されたオブジェクトに対応するコンテンツ、オブジェクトに対応する付加情報を含んでもよい。
【０２９８】
本発明の一実施形態によるコンテンツは、静止映像、動画、アプリケーション、音楽、ウェプページ及びＥＰＧ（electronic program guide）のうち少なくとも一つを含んでもよい。また、本発明の一実施形態による付加情報は、プレビュー情報、プレリスニング情報、アプリケーション情報、ユーザ評価情報、アップデート情報、新聞記事情報、商品情報、映画情報、ゲーム情報、広告映像情報及びアルバム情報のうち、少なくとも一つを含んでもよい。
【０２９９】
一方、本発明の一実施形態によれば、移動端末１００は、移動端末１００を、第１方向に所定角度（例えば、＋９０°）回転させる第１回転モーション入力を受信することができる。その場合、移動端末１００は、第１回転モーション入力に基づいて、動作モードを、第１モードから第２モードに転換することができる。
【０３００】
また、移動端末１００が移動端末１００を第２方向に所定角度（例えば、−９０°）回転させる第２回転モーション入力を受信した場合、移動端末１００は、第２回転モーション入力に基づいて、動作モードを、第２モードから第１モードに転換することもできる。
【０３０１】
例えば、ユーザが、縦モードの移動端末１００を、時計回り方向に９０°回転させて横モードに変更する場合、移動端末１００の動作モードは、オブジェクト選択モードから付加情報表示モードに変更されもする。一方、横モードの移動端末１００を、反時計回り方向に９０°回転させて縦モードに変更する場合、移動端末１００の動作モードは、付加情報表示モードからオブジェクト選択モードにさらに変更されもする。
【０３０２】
一方、本発明の他の実施形態によれば、移動端末１００は、モードを転換することができるＧＵＩ（例えば、アイコン）を画面に表示することができる。このとき、ユーザが、モード転換アイコンを選択（またはタッチ）する場合、移動端末１００は、動作モードを、第１モードから第２モードに転換するか、あるいは第２モードから第１モードに転換することができる。
【０３０３】
本発明の一実施形態による方法は、多様なコンピュータ手段を介して遂行されるプログラム命令形態で具現され、コンピュータ可読媒体に記録されもする。前記コンピュータ可読媒体は、プログラム命令、データファイル、データ構造などを単独、または組み合わせて含んでもよい。前記媒体に記録されるプログラム命令は、本発明のために特別に設計されて構成されたものであったり、コンピュータ・ソフトウェア当業者に公知されて使用可能なものでもある。コンピュータ可読記録媒体の例としては、ハードディスク、フロッピー（登録商標）ディスク及び磁気テープのような磁気媒体（magnetic media）；ＣＤ（compact disc）−ＲＯＭ、ＤＶＤ（digital versatile disc）のような光記録媒体（optical media）；フロプティカル・ディスク（floptical disk）のような磁気・光媒体（magneto-optical media）；及びＲＯＭ、ＲＡＭ、フラッシュメモリのようなプログラム命令を保存して遂行するように特別に構成されたハードウェア装置；が含まれる。プログラム命令の例としては、コンパイラによって作われるような機械語コードだけではなく、インタプリタなどを使用して、コンピュータによって実行される高級言語コードを含む。
【０３０４】
本発明の一実施形態によれば、ユーザは、移動端末１００を利用して、ユーザ入力が不便なディスプレイ装置（例えば、ＴＶ）で、オブジェクトを簡便に検索及び選択することができ、移動端末１００を介して選択したコンテンツに係わる付加情報をあらかじめ確認することができる。
【０３０５】
また、本発明の一実施形態によれば、ユーザが、移動端末１００の動きなどを介して、プレビューを移動端末１００画面で確認した後、ダウンロードを選択すれば、移動端末１００をユーザが外に持ち出しても、シームレスにコンテンツのダウンロードが可能である。
【０３０６】
以上、本発明の実施形態について詳細に説明したが、本発明の権利範囲は、それらに限定されるものではなく、特許請求の範囲で定義している本発明の基本概念を利用した当業者の多くの変形及び改良の形態も、本発明の権利範囲に属する。
【産業上の利用可能性】
【０３０７】
本発明の移動端末の情報表示方法、ディスプレイ装置の情報提供方法、移動端末の制御信号生成方法は、例えば、双方向映像通信関連の技術分野に効果的に適用可能である。
【符号の説明】
【０３０８】
１００    移動端末
１１０，２１０    通信部
１２０    ユーザ入力部
１３０    獲得部
１４０，２３０    出力部
１５０    動作モード判断部
１６０，２５０    保存部
１７０    インターフェース部
１８０    電源供給部
１９０，２６０    制御部
２００    外部のディスプレイ装置
２２０    選択部
２４０    感知部
３００    サーバ
【図１】
2014027659.tif 000003
【図２】
2014027659.tif 000004
【図３Ａ】
2014027659.tif 000005
【図３Ｂ】
2014027659.tif 000006
【図３Ｃ】
2014027659.tif 000007
【図４Ａ】
2014027659.tif 000008
【図４Ｂ】
2014027659.tif 000009
【図５】
2014027659.tif 000010
【図６】
2014027659.tif 000011
【図７】
2014027659.tif 000012
【図８】
2014027659.tif 000013
【図９】
2014027659.tif 000014
【図１０】
2014027659.tif 000015
【図１１】
2014027659.tif 000016
【図１２】
2014027659.tif 000017
【図１３】
2014027659.tif 000018
【図１４】
2014027659.tif 000019
【図１５】
2014027659.tif 000020
【図１６】
2014027659.tif 000021
【図１７】
2014027659.tif 000022